(57)【要約】【課題】精査処理実行の適正化を図ることが可能となる貨幣処理装置を提供する。【解決手段】貨幣を外部に出金可能に収納する貨幣収納部８１ａ〜８１ｆと、貨幣を識別および計数する貨幣識別部と、を有し、貨幣収納部８１ａ〜８１ｆの貨幣を搬送しつつ貨幣識別部で識別および計数して貨幣収納部８１ａ〜８１ｆの在り高を確定する精査処理を行う貨幣処理装置であって、前記精査処理の処理速度が切り替え可能である。これにより、精査処理実行の適正化を図ることが可能となる。【選択図】図３
2019021135.tif 000002
【特許請求の範囲】
【請求項１】
貨幣を外部に出金可能に収納する貨幣収納部と、
貨幣を識別および計数する貨幣識別部と、を有し、
貨幣収納部の貨幣を搬送しつつ貨幣識別部で識別および計数して貨幣収納部の在り高を確定する精査処理を行う貨幣処理装置であって、
前記精査処理の処理速度が切り替え可能であることを特徴とする貨幣処理装置。
【請求項２】
前記処理速度が、予め設定された時刻情報に基づいて切り替えられることを特徴とする請求項１に記載の貨幣処理装置。
【請求項３】
前記処理速度が、手動操作により切り替えられることを特徴とする請求項１または２に記載の貨幣処理装置。
【発明の詳細な説明】
【技術分野】
【０００１】
本発明は、貨幣処理装置に関する。
【背景技術】
【０００２】
入金された貨幣を収納部に収納し、収納部から貨幣を繰り出して外部に出金する還流式の貨幣入出金機において、収納部に収納した貨幣の在り高を確定する精査処理を可能としたものが知られている（例えば、特許文献１参照）。精査処理において、その処理速度は一定となっている。
【先行技術文献】
【特許文献】
【０００３】
【特許文献１】特許第３４２３６４５号公報
【発明の概要】
【発明が解決しようとする課題】
【０００４】
精査処理の処理速度が速い速度に設定されていると、精査処理に要する時間を短くできるものの、繰り出しや搬送においてジャムを生じる可能性が高くなり、動作音も大きくなってしまう。このため、例えば、貨幣処理装置を使用する店舗の営業時間外等の作業者が少ない時間帯や、夜間の処理にあまり適さない。他方、精査処理の処理速度が遅い速度に設定されていると、ジャムの発生を抑制でき、動作音を抑制できるものの、精査処理に要する時間が長くなり、主体的な処理である入出金処理等ができない時間が長くなってしまう。このため、例えば、店舗の営業時間内での処理にはあまり適さない。
【０００５】
本発明は、精査処理実行の適正化を図ることが可能となる貨幣処理装置の提供を目的とする。
【課題を解決するための手段】
【０００６】
上記目的を達成するために、本発明に係る第１の態様は、貨幣を外部に出金可能に収納する貨幣収納部と、貨幣を識別および計数する貨幣識別部と、を有し、貨幣収納部の貨幣を搬送しつつ貨幣識別部で識別および計数して貨幣収納部の在り高を確定する精査処理を行う貨幣処理装置であって、前記精査処理の処理速度が切り替え可能であることを特徴とする。
【０００７】
上記第１の態様によれば、貨幣収納部の貨幣を搬送しつつ貨幣識別部で識別および計数して貨幣収納部の在り高を確定する精査処理の処理速度が切り替え可能であるため、精査処理実行の適正化を図ることが可能となる。
【０００８】
本発明に係る第２の態様は、上記第１の態様において、前記処理速度が、予め設定された時刻情報に基づいて切り替えられることを特徴とする。
【０００９】
上記第２の態様によれば、精査処理の処理速度が、予め設定された時刻情報に基づいて切り替えられるため、設定されたタイミングで自動的に精査処理の処理速度を切り替えることができる。
【００１０】
本発明に係る第３の態様は、上記第１または第２の態様において、前記処理速度が、手動操作により切り替えられることを特徴とする。
【００１１】
上記第３の態様によれば、精査処理の処理速度が、手動操作により切り替えられるため、任意のタイミングで精査処理の処理速度を切り替えることができる。
【発明の効果】
【００１２】
本発明によれば、精査処理実行の適正化を図ることが可能となる貨幣処理装置を提供することができる。
【図面の簡単な説明】
【００１３】
【図１】本発明に係る貨幣処理装置の一実施形態である硬貨処理装置の構成を概略的に示す正面図である。
【図２】本発明に係る貨幣処理装置の一実施形態である硬貨処理装置の正面図である。
【図３】本発明に係る貨幣処理装置の一実施形態である硬貨処理装置の要部の斜視図であって、入金貯留部本体および底板がともに装填位置にある状態を示すものである。
【図４】本発明に係る貨幣処理装置の一実施形態である硬貨処理装置の要部の斜視図であって、入金貯留部本体が収納位置にあり、底板が装填位置にある状態を示すものである。
【図５】本発明に係る貨幣処理装置の一実施形態である硬貨処理装置の要部の斜視図であって、入金貯留部本体が返却位置にあり、底板が収納位置にある状態を示すものである。
【図６】本発明に係る貨幣処理装置の一実施形態である硬貨処理装置の要部の斜視図であって、入金貯留部本体が装填位置にあり、底板が収納位置にある状態を示すものである。
【図７】本発明に係る貨幣処理装置の一実施形態である硬貨処理装置の要部のブロック図である。
【発明を実施するための形態】
【００１４】
本発明に係る貨幣処理装置の一実施形態である硬貨処理装置を図面を参照して以下に説明する。
【００１５】
本実施形態に係る硬貨処理装置１０は、図１に示すように、貨幣であるバラの硬貨（以下、硬貨と称す）に関する処理を行う硬貨処理部１１と、硬貨を所定の包装単位枚数ずつ一体に纏めた棒金（包装硬貨）に関する処理を行う棒金処理部１２とを有している。
【００１６】
［硬貨処理部１１］
硬貨処理部１１は、外部から入金された硬貨の入金処理を行う硬貨入金部２１と、硬貨入金部２１から硬貨を受け入れて収納する収納処理を行うとともに収納している硬貨を外部に取り出し可能に出金する硬貨収納出金部２２と、を有している。
【００１７】
硬貨入金部２１は、外部から硬貨が投入されるとともに投入された硬貨を一枚ずつ分離して繰り出す入金ホッパ３１と、入金ホッパ３１から繰り出された硬貨を搬送しつつ入金識別計数部３２で真偽、金種および正損を識別して計数する入金搬送部３３と、入金識別計数部３２で偽つまり受け入れ不可と識別された硬貨を入金搬送部３３から落下案内する開閉式の入金リジェクト案内部３４と、入金リジェクト案内部３４で入金搬送部３３から案内された硬貨を収容する入金リジェクト部３５と、を有している。
【００１８】
入金リジェクト部３５は、箱状であって、図２に示す硬貨処理装置１０の装置本体４１の上部ユニット４２から装置前方に引き出されて上部ユニット４２から取り外される。ここで、上部ユニット４２は、装置本体４１の建屋フロアに設置されるベース筐体４３に対し装置前方に引き出し可能に連結されている。入金リジェクト部３５は、ベース筐体４３に対し押し込まれた上部ユニット４２に装填された状態で、図１に示す入金リジェクト案内部３４で案内された硬貨を収容し、上部ユニット４２から取り外されることで、収容した硬貨が外部に取り出し可能となる。
【００１９】
硬貨入金部２１は、入金識別計数部３２で真つまり受け入れ可能と識別された硬貨を入金搬送部３３から落下案内する開閉式の放出案内部５１と、放出案内部５１で入金搬送部３３から案内された硬貨を外部に放出する放出部５２と、を有している。放出部５２は、外部から図示略の収納袋が装着されることになり、装着された収納袋内に、放出案内部５１で案内された硬貨を放出する。ここで、入金ホッパ３１に投入された硬貨の中から、設定金種の硬貨を設定枚数だけ収納袋に収納するローカル袋取り処理時に、放出案内部５１が、入金識別計数部３２の識別結果に基づいて、収納袋が装着された放出部５２に設定金種の硬貨を設定枚数だけ案内し、設定金種以外の硬貨および設定枚数を超える硬貨を入金リジェクト案内部３４が入金リジェクト部３５に案内する。なお、入金リジェクト部３５に別の収納袋を装着することにより、設定金種以外の硬貨および設定枚数を超える硬貨を袋取りすることもできる。
【００２０】
硬貨入金部２１は、入金識別計数部３２で真つまり受け入れ可能と識別された硬貨を入金搬送部３３から落下案内する開閉式の包装案内部５５を有している。包装案内部５５で案内された硬貨は棒金処理部１２に搬送される。ここで、入金ホッパ３１に投入された硬貨の中から、設定金種の硬貨を包装して棒金とするローカル包装処理時に、包装案内部５５が、入金識別計数部３２の識別結果に基づいて、設定金種の硬貨を棒金処理部１２に案内し、設定金種以外の硬貨を入金リジェクト案内部３４が入金リジェクト部３５に案内する。棒金処理部１２は、硬貨処理部１１から送り込まれた硬貨を所定の包装単位枚数（例えば５０枚）ずつ集積させて包装する。
【００２１】
硬貨入金部２１は、入金識別計数部３２で受け入れ可能と識別された硬貨を入金搬送部３３から落下案内する貯留案内部６１と、貯留案内部６１で入金搬送部３３から案内された硬貨を一時貯留する入金貯留部６２と、を有している。図３に示すように入金貯留部６２は、単一金種の硬貨を貯留する金種別の貯留区分部６３ａ〜６３ｆと、汚損硬貨を金種混合で貯留する汚損硬貨用の貯留区分部６３ｇとを有している。
【００２２】
図１に示す貯留案内部６１は、入金搬送部３３の装置前後方向に沿う直線状の部分に設けられており、最も包装案内部５５側の部分が開閉式で全金種の汚損硬貨を入金搬送部３３から落下させて入金貯留部６２に案内することになり、その包装案内部５５とは反対側の部分が常時開の選別孔式であって汚損のない正常硬貨を小径のものから順に入金搬送部３３から落下させて入金貯留部６２に案内する。
【００２３】
貯留案内部６１の上記の振り分けの順番に合わせて、入金貯留部６２は、図３に示すように、汚損硬貨を貯留する貯留区分部６３ｇ、１円の正常硬貨を貯留する貯留区分部６３ａ、５０円の正常硬貨を貯留する貯留区分部６３ｂ、５円の正常硬貨を貯留する貯留区分部６３ｃ、１００円の正常硬貨を貯留する貯留区分部６３ｄ、１０円の正常硬貨を貯留する貯留区分部６３ｅ、５００円の正常硬貨を貯留する貯留区分部６３ｆが、装置前側から後側に向けて、この順に直線状に並べられている。
【００２４】
入金貯留部６２は、貯留区分部６３ａ〜６３ｇの側壁部分を形成する一体の入金貯留部本体６４と、貯留区分部６３ａ〜６３ｇの底部分を形成する底板６５と、入金貯留部本体６４を水平移動させる図示略の本体駆動部と、底板６５を水平移動させる図示略の底板駆動部とを有している。入金貯留部６２は、図１に示す貯留案内部６１の鉛直下方が装填位置であり、図３に示すようにこの装填位置に入金貯留部本体６４および底板６５が位置する状態で、貯留案内部６１で案内された硬貨を貯留区分部６３ａ〜６３ｇに分類して受け入れる。つまり、入金貯留部６２は、入金ホッパ３１に入金された正常硬貨を、金種別の貯留区分部６３ａ〜６３ｆに金種別に分けて貯留するとともに、汚損硬貨を貯留区分部６３ｇに貯留する。
【００２５】
硬貨入金部２１は、入金貯留部６２が貯留区分部６３ａ〜６３ｇに分類して貯留している硬貨を収納する硬貨収納部７１を有している。硬貨収納部７１は、入金貯留部６２が、図４に示すように、底板６５を装填位置に保持した状態のまま入金貯留部本体６４を側方の収納位置に移動させることで貯留区分部６３ａ〜６３ｇから落下する硬貨をその分類状態のままで収納する。
【００２６】
硬貨収納部７１は、貯留区分部６３ｇから落下する汚損硬貨を収納する図３に示す収納カセット７１ｇ、貯留区分部６３ａから落下する１円の正常硬貨を収納する収納カセット７１ａ、貯留区分部６３ｂから落下する５０円の正常硬貨を収納する収納カセット７１ｂ、貯留区分部６３ｃから落下する５円の正常硬貨を収納する収納カセット７１ｃ、貯留区分部６３ｄから落下する１００円の正常硬貨を収納する収納カセット７１ｄ、貯留区分部６３ｅから落下する１０円の正常硬貨を収納する収納カセット７１ｅ、貯留区分部６３ｆから落下する５００円の正常硬貨を収納する収納カセット７１ｆが、装置前側から後側に向けて、この順に直線状に並べられている。
【００２７】
硬貨収納部７１を構成する収納カセット７１ａ〜７１ｇは、それぞれが箱状であって、図２に示す装置本体４１のベース筐体４３に対し装置前方に引き出し可能となるように連結された収納引出部７２に個別に着脱可能に装填されている。収納カセット７１ａ〜７１ｇは、収納引出部７２に装填された後、この収納引出部７２がベース筐体４３に押し込まれると、入金貯留部６２から落下する硬貨を収納可能となる。また、収納カセット７１ａ〜７１ｇは、ベース筐体４３から収納引出部７２が引き出された後、この収納引出部７２から取り外されることで、個別に取り出し可能となる。なお、硬貨収納部７１は、硬貨を金種別に分類せずに、金種混合で一括して収納するものであっても良い。
【００２８】
硬貨入金部２１は、入金貯留部６２が貯留区分部６３ａ〜６３ｇに分類して貯留している硬貨を外部に取り出し可能に返却する硬貨返却部７５を有している。硬貨返却部７５は、入金貯留部６２が、底板６５および入金貯留部本体６４を収納位置に移動させた後に、図５に示すように、入金貯留部本体６４のみをさらに側方の返却位置に移動させることで貯留区分部６３ａ〜６３ｇから落下する硬貨をその分類状態のままで収容する。
【００２９】
硬貨返却部７５は、貯留区分部６３ｇから落下する汚損硬貨を収容する図３に示す返却区分部７５ｇ、貯留区分部６３ａから落下する１円の正常硬貨を収容する返却区分部７５ａ、貯留区分部６３ｂから落下する５０円の正常硬貨を収容する返却区分部７５ｂ、貯留区分部６３ｃから落下する５円の正常硬貨を収容する返却区分部７５ｃ、貯留区分部６３ｄから落下する１００円の正常硬貨を収容する返却区分部７５ｄ、貯留区分部６３ｅから落下する１０円の正常硬貨を収容する返却区分部７５ｅ、貯留区分部６３ｆから落下する５００円の正常硬貨を収容する返却区分部７５ｆが、装置前側から後側に向けて、この順に直線状に並べられている。
【００３０】
硬貨返却部７５は、箱状であって返却区分部７５ａ〜７５ｇが一体に設けられている。硬貨返却部７５は、図２に示すベース筐体４３から装置前方に引き出されてベース筐体４３から取り外される。硬貨返却部７５は、ベース筐体４３に装填された状態で入金貯留部６２からの硬貨を収容し、ベース筐体４３から取り外されることで、収容した硬貨が外部に取り出し可能となる。なお、硬貨返却部７５は、硬貨を金種別に分類せずに、金種混合で一括して収容するものであっても良い。
【００３１】
図３に示す硬貨収納出金部２２は、入金貯留部６２が貯留区分部６３ａ〜６３ｆに分類して貯留している硬貨を外部に出金可能に収納する硬貨収納繰出部８１を有している。硬貨収納繰出部８１は、図６に示すように、入金貯留部６２が、入金貯留部本体６４を装填位置に保持した状態のまま底板６５を側方の収納位置に移動させることで貯留区分部６３ａ〜６３ｆから落下する硬貨をその分類状態のままで出金可能に収納する。
【００３２】
硬貨収納繰出部８１は、貯留区分部６３ａから落下する１円の正常硬貨を外部に出金可能に収納する出金ホッパ８１ａ（貨幣収納部）、貯留区分部６３ｂから落下する５０円の正常硬貨を外部に出金可能に収納する出金ホッパ８１ｂ（貨幣収納部）、貯留区分部６３ｃから落下する５円の正常硬貨を外部に出金可能に収納する出金ホッパ８１ｃ（貨幣収納部）、貯留区分部６３ｄから落下する１００円の正常硬貨を外部に出金可能に収納する出金ホッパ８１ｄ（貨幣収納部）、貯留区分部６３ｅから落下する１０円の正常硬貨を外部に出金可能に収納する出金ホッパ８１ｅ（貨幣収納部）、貯留区分部６３ｆから落下する５００円の正常硬貨を外部に出金可能に収納する出金ホッパ８１ｆ（貨幣収納部）が、装置前側から後側に向けて、この順に直線状に並べられている。
【００３３】
よって、硬貨収納繰出部８１は、それぞれが単一金種の硬貨を外部に出金可能に収納する金種別の出金ホッパ８１ａ〜８１ｆを有しており、入金貯留部６２は、入金ホッパ３１に入金されて金種別の貯留区分部６３ａ〜６３ｆに金種別に分けて貯留している硬貨を金種別に分けた状態のまま硬貨収納繰出部８１の金種別の出金ホッパ８１ａ〜８１ｆに収納可能となっている。
【００３４】
出金ホッパ８１ａの出金ホッパ８１ｂとは反対側には、入金貯留部６２が入金貯留部本体６４を装填位置に保持した状態のまま底板６５を側方の収納位置に移動させることで貯留区分部６３ｇから落下する汚損硬貨を収納する汚損カセット８２ｇが設けられており、出金ホッパ８１ｆの出金ホッパ８１ｅとは反対側には、後述する精査処理時に硬貨を貯留させる貨幣貯留部としての精査ホッパ８３ｈが設けられている。
【００３５】
硬貨収納繰出部８１を構成する出金ホッパ８１ａ〜８１ｆと、精査ホッパ８３ｈとは、図２に示す装置本体４１のベース筐体４３に対し装置前方に引き出し可能となるように連結された出金繰出引出部８５に着脱不可に組み込まれている。出金ホッパ８１ａ〜８１ｆは、出金繰出引出部８５がベース筐体４３に押し込まれると、入金貯留部６２の貯留区分部６３ａ〜６３ｆから落下する硬貨を収納可能となる。
【００３６】
出金ホッパ８１ａは、収納している硬貨を下部の計数繰出部９１ａで計数を行いながら一枚ずつ繰り出し、出金ホッパ８１ｂは、収納している硬貨を下部の計数繰出部９１ｂで同様に繰り出し、出金ホッパ８１ｃは、収納している硬貨を下部の計数繰出部９１ｃで同様に繰り出し、出金ホッパ８１ｄは、収納している硬貨を下部の計数繰出部９１ｄで同様に繰り出し、出金ホッパ８１ｅは、収納している硬貨を下部の計数繰出部９１ｅで同様に繰り出し、出金ホッパ８１ｆは、収納している硬貨を下部の計数繰出部９１ｆで同様に繰り出す。精査ホッパ８３ｈは、収納している硬貨を下部の識別計数繰出部９３ｈで金種を識別しつつ計数して繰り出す。
【００３７】
出金ホッパ８１ａ〜８１ｆおよび精査ホッパ８３ｈは、底部が図示略の一つの共通のベルトコンベアで構成されている。このベルトコンベアは、図７に示す繰出駆動モータ３０１で駆動されて回転する。
【００３８】
計数繰出部９１ａ〜９１ｆは、繰出駆動モータ３０１と、繰出駆動モータ３０１で駆動されて回転するベルトコンベアと、このベルトコンベアで送り出される硬貨の移動を規制および許容する図示略のゲートと、ゲートを開閉する繰出ソレノイド３０２ａ〜３０２ｆと、硬貨の有無を検知してゲートを通過する硬貨の枚数を計数する計数センサ３０３ａ〜３０３ｆとを有している。計数繰出部９１ａが繰出ソレノイド３０２ａおよび計数センサ３０３ａを、計数繰出部９１ｂが繰出ソレノイド３０２ｂおよび計数センサ３０３ｂを、計数繰出部９１ｃが繰出ソレノイド３０２ｃおよび計数センサ３０３ｃを、計数繰出部９１ｄが繰出ソレノイド３０２ｄおよび計数センサ３０３ｄを、計数繰出部９１ｅが繰出ソレノイド３０２ｅおよび計数センサ３０３ｅを、計数繰出部９１ｆが繰出ソレノイド３０２ｆおよび計数センサ３０３ｆを、それぞれ有している。
【００３９】
識別計数繰出部９３ｈは、繰出駆動モータ３０１と、繰出駆動モータ３０１で駆動されて回転するベルトコンベアと、このベルトコンベアで送り出される硬貨の移動を規制および許容する図示略のゲートと、ゲートを開閉する繰出ソレノイド３０２ｈと、ゲートを通過する硬貨の金種を識別しつつ枚数を計数する識別計数センサ３０３ｈ（貨幣識別部）とを有している。
【００４０】
出金ホッパ８１ａ〜８１ｆおよび精査ホッパ８３ｈのそれぞれのゲートは、繰出ソレノイド３０２ａ〜３０２ｆ，３０２ｈの対応するものが駆動されることで開状態となって硬貨の通過を許容し、繰出ソレノイド３０２ａ〜３０２ｆ，３０２ｈの対応するものの駆動が停止されることで閉状態となって硬貨の通過を規制する。
【００４１】
計数繰出部９１ａ〜９１ｆおよび識別計数繰出部９３ｈは、出金ホッパ８１ａ〜８１ｆおよび精査ホッパ８３ｈの底部を構成するベルトコンベアの繰出駆動モータ３０１の回転速度を切り替えることで、ゲートを開いた状態で連続的に繰り出される硬貨の繰り出しの時間間隔（一枚の硬貨が繰り出されてから次の一枚が繰り出されるまでの時間間隔）を切り替えることが可能となっている。
【００４２】
すなわち、計数繰出部９１ａ〜９１ｆおよび識別計数繰出部９３ｈは、硬貨の繰り出しの速度が第１の繰出速度と、第１の繰出速度よりも遅い第２の繰出速度とに切り替え可能となっている。繰り出しの速度が第１の繰出速度に設定されているとき、計数繰出部９１ａ〜９１ｆおよび識別計数繰出部９３ｈから連続的に繰り出される硬貨の繰り出しの時間間隔が短くなり、繰り出しの速度が第２の繰出速度に設定されているとき、硬貨の繰り出しの時間間隔が長くなる。言い換えれば、繰り出しの速度が第１の繰出速度のとき、計数繰出部９１ａ〜９１ｆおよび識別計数繰出部９３ｈから連続的に繰り出される硬貨の単位時間当たりの繰り出し枚数が多くなり、繰り出しの速度が第２の繰出速度のとき、計数繰出部９１ａ〜９１ｆおよび識別計数繰出部９３ｈから連続的に繰り出される硬貨の単位時間当たりの繰り出し枚数が少なくなる。すなわち、計数繰出部９１ａ〜９１ｆおよび識別計数繰出部９３ｈは、いずれも、一枚の硬貨を繰り出してから次の硬貨を繰り出すまでの時間間隔が、第１の時間間隔と、第１の時間間隔よりも長い第２の時間間隔とに切り替え可能となっている。
【００４３】
ここで、出金ホッパ８１ａ〜８１ｆおよび精査ホッパ８３ｈの底部を構成するベルトコンベアの速度をかえるのではなく、硬貨の一枚の繰り出し毎に繰出ソレノイド３０２ａ〜３０２ｆ，３０２ｈの駆動を停止させるようにするとともに、繰出ソレノイド３０２ａ〜３０２ｆ，３０２ｈの駆動と駆動との時間間隔、言い換えれば駆動と駆動との間の駆動停止の時間の長さ、さらに言い換えればゲートを開いて硬貨を繰り出しゲートを閉じてから次にゲートを開いて硬貨を繰り出すまでの時間の長さを長短切り替えることで、ゲートの開閉の時間間隔を切り替えて、硬貨の繰り出しの時間間隔を切り替えることも可能である。また、出金ホッパ８１ａ〜８１ｆおよび精査ホッパ８３ｈの底部を構成するベルトコンベアの速度と繰出ソレノイド３０２ａ〜３０２ｆ，３０２ｈの駆動と駆動との時間間隔との両方を切り替えることで硬貨の繰り出しの時間間隔を切り替えることも可能である。
【００４４】
あるいは、出金ホッパ８１ａ〜８１ｆおよび精査ホッパ８３ｈの底部を構成するベルトコンベアを硬貨の一枚分ずつ間欠的に回転させるとともに、回転と回転との間の停止時間を長短切り替えることで硬貨の繰り出しの時間間隔を切り替えることも可能である。また、これに合わせて、出金ホッパ８１ａ〜８１ｆおよび精査ホッパ８３ｈの底部を構成するベルトコンベアの駆動時の速度も切り替えることで硬貨の繰り出しの時間間隔を切り替えることも可能である。
【００４５】
出金ホッパ８１ａには、その内部の硬貨の残留を検知する図７に示す残留検知センサ３０４ａが設けられており、同様に、出金ホッパ８１ｂには残留検知センサ３０４ｂが、出金ホッパ８１ｃには残留検知センサ３０４ｃが、出金ホッパ８１ｄには残留検知センサ３０４ｄが、出金ホッパ８１ｅには残留検知センサ３０４ｅが、出金ホッパ８１ｆには残留検知センサ３０４ｆが、精査ホッパ８３ｈには残留検知センサ３０４ｈが、それぞれ設けられている。
【００４６】
出金ホッパ８１ａ〜８１ｆを有する硬貨収納繰出部８１は、硬貨を収納するとともに、収納している硬貨を繰り出し可能に構成される。収納カセット７１ａ〜７１ｆを有する硬貨収納部７１は、硬貨収納繰出部８１とは別に設けられて硬貨を収納する。入金貯留部６２は、硬貨を貯留するとともに貯留している硬貨の収納先を硬貨収納繰出部８１と硬貨収納部７１と硬貨返却部７５とに選択的に切り替える。入金貯留部６２は、収納先を硬貨収納繰出部８１とした場合に、貯留している硬貨を金種別に分けて金種別の出金ホッパ８１ａ〜８１ｆに収納する。
【００４７】
汚損カセット８２ｇは、図２に示す出金繰出引出部８５に着脱可能に設けられている。汚損カセット８２ｇは、出金繰出引出部８５に装填された後、この出金繰出引出部８５がベース筐体４３に押し込まれると、入金貯留部６２の貯留区分部６３ｇから落下する硬貨を収納可能となる。また、汚損カセット８２ｇは、ベース筐体４３から出金繰出引出部８５が引き出された後、この出金繰出引出部８５から取り外されることで、収納した硬貨が外部に取り出し可能となる。
【００４８】
硬貨収納出金部２２は、出金ホッパ８１ａ〜８１ｆおよび精査ホッパ８３ｈから計数しつつ繰り出された硬貨を搬送する硬貨出金搬送部１０１と、硬貨出金搬送部１０１で搬送されてきた硬貨を収容する図１に示す硬貨出金部１０２と、硬貨出金部１０２に収容されている出金に適さないと判断された硬貨を案内する出金リジェクト案内部１０３と、出金リジェクト案内部１０３で硬貨出金部１０２から案内された硬貨を収容する出金リジェクト部１０４とを有している。
【００４９】
硬貨出金部１０２は、箱状であって、図２に示す装置本体４１の収納引出部７２から装置前方に引き出されて収納引出部７２から取り外される。硬貨出金部１０２は、ベース筐体４３に対し押し込まれた収納引出部７２に装填された状態で硬貨を収容し、収納引出部７２から取り外されることで、収容した硬貨が外部に取り出し可能となる。
【００５０】
出金リジェクト部１０４は、箱状であって、収納引出部７２から装置前方に引き出されて収納引出部７２から取り外される。出金リジェクト部１０４は、ベース筐体４３に対し押し込まれた収納引出部７２に装填された状態で、出金リジェクト案内部１０３で硬貨出金部１０２から案内された硬貨を収容し、収納引出部７２から取り外されることで、収容した硬貨が外部に取り出し可能となる。
【００５１】
図３に示すように、出金ホッパ８１ａ〜８１ｆの計数繰出部９１ａ〜９１ｆおよび精査ホッパ８３ｈの識別計数繰出部９３ｈは装置前後方向に直線状に並んで配置されており、これらの硬貨繰り出し方向の前方に、硬貨出金搬送部１０１を構成するベルトコンベア式の繰出側搬送路１１１が設けられている。また、硬貨出金搬送部１０１は、この繰出側搬送路１１１の精査ホッパ８３ｈとは反対側の端部から硬貨を受け取って、繰出側搬送路１１１に垂直な水平方向に搬送するベルトコンベア式の出金側搬送路１１２を有している。この出金側搬送路１１２は、繰出側搬送路１１１から汚損カセット８２ｇの方向に延びている。
【００５２】
繰出側搬送路１１１は、図７に示す搬送駆動モータ３０６で回転駆動されることになり、出金側搬送路１１２は、図７に示す搬送駆動モータ３０７で回転駆動されることになる。繰出側搬送路１１１および出金側搬送路１１２は、互いに同じ一定の搬送速度で硬貨を搬送する。繰出側搬送路１１１および出金側搬送路１１２は、搬送駆動モータ３０６，３０７の回転速度を切り替えることで、硬貨の搬送速度が切り替え可能となっている。繰出側搬送路１１１および出金側搬送路１１２は、硬貨の搬送速度が第１の搬送速度と、第１の搬送速度よりも遅い第２の搬送速度とに切り替え可能となっている。
【００５３】
硬貨出金搬送部１０１は、出金側搬送路１１２の繰出側搬送路１１１とは反対側の端部に、出金側搬送路１１２で搬送中の硬貨の重なりを崩すローラ１１３を有しており、出金側搬送路１１２の繰出側搬送路１１１とは反対側に、出金側搬送路１１２とローラ１１３との間を通過して出金側搬送路１１２から一枚ずつ繰り出される硬貨を金種識別を行って計数する出金識別計数部１１４を有している。この出金識別計数部１１４の識別結果に基づいて、硬貨出金部１０２に出金すべき硬貨を収容させたり、硬貨出金部１０２の出金に適さない硬貨をさらに出金リジェクト案内部１０３で出金リジェクト部１０４に収容させたりする。
【００５４】
出金側搬送路１１２と汚損カセット８２ｇとの間には、出金側搬送路１１２と平行にベルトコンベア式の戻入下搬送路１２１が設けられており、出金側搬送路１１２と戻入下搬送路１２１との間には、出金側搬送路１１２で繰出側搬送路１１１から出金識別計数部１１４に向けて搬送中の硬貨を、図７に示す振分ソレノイド３０８で駆動されて出金側搬送路１１２側に揺動することで戻入下搬送路１２１に移動させる揺動可能な精査ゲート１２２が設けられている。
【００５５】
戻入下搬送路１２１は、図７に示す搬送駆動モータ３１１で回転駆動されることになり、繰出側搬送路１１１および出金側搬送路１１２と同じ一定の搬送速度で硬貨を搬送する。戻入下搬送路１２１も、搬送駆動モータ３１１の回転速度を切り替えることで、硬貨の搬送速度が切り替え可能となっている。すなわち、戻入下搬送路１２１も、硬貨の搬送速度が、繰出側搬送路１１１および出金側搬送路１１２と同じ一定の第１の搬送速度と、第１の搬送速度よりも遅い、繰出側搬送路１１１および出金側搬送路１１２と同じ一定の第２の搬送速度とに切り替え可能となっている。戻入下搬送路１２１には硬貨の残留を検知する図７に示す残留検知センサ３１２が設けられている。
【００５６】
戻入下搬送路１２１の上側には、戻入下搬送路１２１で搬送されてきた硬貨を上方に搬送するベルトコンベア式の戻入縦搬送路１２３が設けられている。
【００５７】
戻入縦搬送路１２３は、図７に示す搬送駆動モータ３１４で回転駆動されることになり、戻入下搬送路１２１と同じ一定の搬送速度で硬貨を搬送する。戻入縦搬送路１２３も、搬送駆動モータ３１４の回転速度を切り替えることで、硬貨の搬送速度が切り替え可能となっている。すなわち、戻入縦搬送路１２３も、硬貨の搬送速度が、戻入下搬送路１２１と同じ一定の第１の搬送速度と、第１の搬送速度よりも遅い、戻入下搬送路１２１と同じ一定の第２の搬送速度とに切り替え可能となっている。戻入縦搬送路１２３には末端位置に硬貨を計数する図７に示す計数センサ３１５が設けられている。
【００５８】
繰出側搬送路１１１の上方には、これと平行にベルトコンベア式の戻入上搬送路１２５が設けられており、戻入上搬送路１２５は戻入縦搬送路１２３から硬貨を受け取って搬送する。戻入上搬送路１２５は、図７に示す搬送駆動モータ３１７で回転駆動されることになり、戻入縦搬送路１２３と同じ一定の搬送速度で硬貨を搬送する。戻入上搬送路１２５も、搬送駆動モータ３１７の回転速度を切り替えることで、硬貨の搬送速度が切り替え可能となっている。すなわち、戻入上搬送路１２５も、硬貨の搬送速度が、戻入縦搬送路１２３と同じ一定の第１の搬送速度と、第１の搬送速度よりも遅い、戻入縦搬送路１２３と同じ一定の第２の搬送速度とに切り替え可能となっている。
【００５９】
戻入上搬送路１２５の出金ホッパ８１ａ〜８１ｆとは反対側には、戻入上搬送路１２５で搬送中の硬貨を出金ホッパ８１ａ〜８１ｆおよび精査ホッパ８３ｈに振り分ける揺動可能な戻入ゲート１２６ａ〜１２６ｆが設けられている。戻入ゲート１２６ａ〜１２６ｆは、図７に示す戻入ソレノイド３２１ａ〜３２１ｆのうちの対応するものが駆動されることにより、出金ホッパ８１ａ〜８１ｆ側に揺動する一方、この駆動が停止されると出金ホッパ８１ａ〜８１ｆとは反対側に揺動する。
【００６０】
戻入ゲート１２６ａは、図７に示す戻入ソレノイド３２１ａが駆動されて出金ホッパ８１ａ側に揺動すると、戻入上搬送路１２５で搬送されている硬貨を出金ホッパ８１ａに収納する一方、戻入ソレノイド３２１ａの駆動が停止させられて出金ホッパ８１ａとは反対側に揺動すると、戻入上搬送路１２５で搬送されている硬貨を出金ホッパ８１ａに収納せず、出金ホッパ８１ａよりも出金ホッパ８１ｂ側に移動させる。
【００６１】
同様に、戻入ゲート１２６ｂは、戻入ソレノイド３２１ｂで駆動されて出金ホッパ８１ｂ側に揺動することで硬貨を出金ホッパ８１ｂに収納し、戻入ゲート１２６ｃは、戻入ソレノイド３２１ｃで駆動されて出金ホッパ８１ｃ側に揺動することで硬貨を出金ホッパ８１ｃに収納し、戻入ゲート１２６ｄは、戻入ソレノイド３２１ｄで駆動されて出金ホッパ８１ｄ側に揺動することで硬貨を出金ホッパ８１ｄに収納し、戻入ゲート１２６ｅは、戻入ソレノイド３２１ｅで駆動されて出金ホッパ８１ｅ側に揺動することで硬貨を出金ホッパ８１ｅに収納し、戻入ゲート１２６ｆは戻入ソレノイド３２１ｆで駆動されて出金ホッパ８１ｆ側に揺動することで硬貨を出金ホッパ８１ｆに収納する。
【００６２】
戻入上搬送路１２５は、戻入ゲート１２６ａ〜１２６ｆで出金ホッパ８１ａ〜８１ｆに収納されなかった硬貨を末端位置から精査ホッパ８３ｈに収納する。戻入上搬送路１２５には硬貨の残留を検知する図７に示す残留検知センサ３２２が設けられている。
【００６３】
繰出側搬送路１１１の中間位置には、小径側の３金種の硬貨を収納する出金ホッパ８１ａ〜８１ｃから計数繰出部９１ａ〜９１ｃで繰り出されて繰出側搬送路１１１で搬送される硬貨を、硬貨収納繰出部８１側に揺動することで図１に示す棒金処理部１２側に繰り出す小径側中間ゲート１３１と、大径側の３金種の硬貨を収納する出金ホッパ８１ｄ〜８１ｆから計数繰出部９１ｄ〜９１ｆで繰り出されて繰出側搬送路１１１で搬送される硬貨を、硬貨収納繰出部８１側に揺動することで棒金処理部１２側に繰り出す大径側中間ゲート１３２とが設けられている。大径側中間ゲート１３２は、精査ホッパ８３ｈから出金繰出引出部８５で繰り出されて繰出側搬送路１１１で搬送される硬貨を、硬貨収納繰出部８１側に揺動することで棒金処理部１２側に繰り出す。
【００６４】
図１に示すように、硬貨処理部１１には、硬貨処理装置１０の全体を制御する制御部１４１と、硬貨処理装置１０に電源を供給する電源部１４２とが設けられている。硬貨処理装置１０には、図７に示すように、操作者の操作入力を受け付ける操作部１４５と、操作者に向けた表示を行う表示部１４６とが設けられている。
【００６５】
［棒金処理部］
棒金処理部１２は、硬貨収納出金部２２から繰り出された硬貨を受け入れて所定の包装単位枚数（纏め枚数）ずつ包装して一体に纏めた棒金とする包装処理（纏め処理）を行う包装部２０１と、包装部２０１で作製した棒金を収納する棒金収納部２０２と、包装部２０１および棒金収納部２０２から棒金を受け入れて外部に取り出し可能に出金する棒金出金部２０３と、を有している。
【００６６】
包装部２０１は、硬貨収納出金部２２の出金ホッパ８１ａ〜８１ｆのいずれか一金種用の出金ホッパから計数繰出部９１ａ〜９１ｆの対応するもので繰り出され、繰出側搬送路１１１と、小径側中間ゲート１３１あるいは大径側中間ゲート１３２とで棒金処理部１２に搬送されてきた硬貨を受け取って包装する。また、包装部２０１は、精査ホッパ８３ｈから識別計数繰出部９３ｈで繰り出され、繰出側搬送路１１１と大径側中間ゲート１３２とで棒金処理部１２に搬送されてきた硬貨を受け取って包装する。また、包装部２０１は、入金ホッパ３１から繰り出され、包装案内部５５で棒金処理部１２に案内されてきた硬貨を受け取って包装する。
【００６７】
ここで、硬貨処理装置１０は、出金ホッパ８１ａ〜８１ｆのいずれかの硬貨量が所定量である包装基準値を超えると、自動包装処理を行うことになる。この自動包装処理では、出金ホッパ８１ａ〜８１ｆのうちの硬貨量が包装基準値を超えたものから計数繰出部９１ａ〜９１ｆの対応するもので硬貨を繰り出す繰出処理を行い、この繰出処理で繰り出され、繰出側搬送路１１１と、小径側中間ゲート１３１あるいは大径側中間ゲート１３２とで棒金処理部１２に搬送されてきた硬貨を包装部２０１で受け取って包装する。
【００６８】
また、硬貨処理装置１０は、入金ホッパ３１に投入された硬貨を包装するローカル包装処理において、入金ホッパ３１に投入された硬貨から指定された金種以外の硬貨を入金リジェクト案内部３４で入金リジェクト部３５に案内する一方、指定された金種の硬貨を包装案内部５５で棒金処理部１２に案内することになり、包装部２０１は、このように包装案内部５５で案内された硬貨を受け取って包装する。
【００６９】
包装部２０１は、硬貨処理部１１側にあって、硬貨処理部１１から硬貨を受け入れるとともに、受け入れた硬貨を、金種識別しつつ計数して包装単位枚数（５０枚）ずつ繰り出す硬貨識別計数部２１１と、硬貨識別計数部２１１から繰り出された包装単位枚数の硬貨を集積させて紙あるいは樹脂フィルムからなる包装紙を巻き回し、この包装紙を切断した後、集積方向に両側の包装紙の余長部分を内側に丸めるように加締めることにより棒金とする硬貨集積包装部２１２と、を有している。
【００７０】
包装部２０１は、硬貨集積包装部２１２で作製されて下方に繰り出された棒金を３方向に振り分けて搬送する棒金振分搬送部２１３と、棒金振分搬送部２１３で第１の方向に振り分けられた棒金を収納する自動時端数棒金収納部２１４と、棒金振分搬送部２１３で第２の方向に振り分けられた棒金を収納するローカル時端数棒金収納部２１５と、を有している。自動時端数棒金収納部２１４は、自動包装処理において、包装単位枚数に満たない数の硬貨を包装した端数棒金を収納することになり、ローカル時端数棒金収納部２１５は、ローカル包装処理において、包装単位枚数に満たない数の硬貨を包装した端数棒金を収納することになる。
【００７１】
自動時端数棒金収納部２１４およびローカル時端数棒金収納部２１５は、いずれも箱状であって、装置本体４１から装置前方に引き出されて取り外される。自動時端数棒金収納部２１４およびローカル時端数棒金収納部２１５は、いずれも装置本体４１に装填された状態で、棒金振分搬送部２１３により振り分けられた端数棒金を収容し、装置本体４１から取り外されることで、収容した端数棒金が外部に取り出し可能となる。
【００７２】
棒金出金部２０３は、棒金振分搬送部２１３で硬貨処理部１１とは反対の第３の方向に振り分けられた棒金を受け取って昇降搬送する棒金出金リフト２２１を有している。棒金振分搬送部２１３で第３の方向に振り分けられる棒金は、端数棒金以外の棒金つまり包装単位枚数の硬貨を包装して作製した正常棒金である。棒金出金部２０３は、棒金出金リフト２２１で搬送されてきた棒金を外部に放出する下部棒金放出口２２２と、棒金出金リフト２２１で搬送されてきた棒金を受け取って外部に取り出し可能に収容する上部棒金出金口２２３と、棒金出金リフト２２１で搬送されてきた棒金を外部に取り出し可能に収納する棒金一括収納部２２４と、を有している。
【００７３】
下部棒金放出口２２２は、外部に臨んで設けられており、棒金出金リフト２２１から受け取った棒金を図示略の受箱に向けて放出する。上部棒金出金口２２３は、外部に臨んで設けられており、棒金出金リフト２２１から受け取った棒金を外部に取り出し可能に収容する。棒金一括収納部２２４は、箱状であって、装置本体４１から引き出されて取り外される。棒金一括収納部２２４は、装置本体４１に装填された状態で、棒金出金リフト２２１から受け取った棒金を収容し、装置本体４１から取り外されることで、収容した棒金が外部に取り出し可能となる。
【００７４】
棒金収納部２０２は、棒金出金リフト２２１で搬送されてきた棒金を受け取って硬貨処理部１１の方向に搬送する棒金収納搬送部２３１と、棒金収納搬送部２３１から棒金を受け取って上方に搬送する棒金収納リフト２３２と、棒金収納リフト２３２で搬送されてきた棒金を受け取って金種別に分類して収納する棒金収納本体部２３３と、棒金収納本体部２３３から金種別に棒金を計数しつつ棒金出金リフト２２１に繰り出す棒金繰出部２３４と、を有している。棒金出金リフト２２１は、棒金繰出部２３４で棒金収納本体部２３３から繰り出された棒金を受け取って、上部棒金出金口２２３および棒金一括収納部２２４に振り分ける。
【００７５】
硬貨処理装置１０は、入金ホッパ３１の図示略のシャッタを閉じ、入金貯留部６２を空の状態でその入金貯留部本体６４および底板６５の両方を図３に示す装填位置に位置させた状態が待機状態となっている。また、この待機状態では、精査ゲート１２２を、出金側搬送路１１２で繰出側搬送路１１１からの硬貨を出金識別計数部１１４に搬送する状態としている。
【００７６】
「入金処理」
操作部１４５に入金処理実行の操作入力がなされると、制御部１４１は、入金ホッパ３１の図示略のシャッタを開く。入金ホッパ３１内に硬貨が投入されたことを図示略のセンサで検出すると、制御部１４１は、入金ホッパ３１のシャッタを閉じ、入金ホッパ３１によって硬貨を一枚ずつ分離した状態で入金搬送部３３に繰り出し、入金搬送部３３で搬送しながら、入金識別計数部３２で真偽、金種および正損を識別して計数する。そして、入金識別計数部３２で偽つまり受け入れ不可と識別された硬貨を入金リジェクト案内部３４で入金搬送部３３から案内して入金リジェクト部３５に収容する。他方、入金識別計数部３２で受け入れ可能と識別された硬貨を貯留案内部６１で入金搬送部３３から案内して、入金貯留部本体６４および底板６５の両方が装填位置に位置する状態の入金貯留部６２に分類して貯留させる。入金貯留部６２は、貯留区分部６３ｇに全金種の汚損硬貨を、貯留区分部６３ａに１円の正常硬貨を、貯留区分部６３ｂに５０円の正常硬貨を、貯留区分部６３ｃに５円の正常硬貨を、貯留区分部６３ｄに１００円の正常硬貨を、貯留区分部６３ｅに１０円の正常硬貨を、貯留区分部６３ｆに５００円の正常硬貨を、それぞれ貯留することになる。
【００７７】
そして、入金ホッパ３１内にあった全ての硬貨が入金リジェクト部３５あるいは入金貯留部６２に至ったと判定すると、制御部１４１は、入金識別計数部３２の識別結果から、受け入れ可能な入金硬貨の金種別の枚数データを表示部１４６に表示させるとともに、操作部１４５に了解操作およびキャンセル操作のいずれか一方の選択入力を受け付ける状態になって入金処理を終了する。
【００７８】
「入金収納処理」
入金処理後、操作部１４５に了解操作が入力されると、制御部１４１は、硬貨収納繰出部８１が硬貨を繰り出す繰出処理を行っているか否かを判定する。硬貨収納繰出部８１が硬貨を繰り出す繰出処理を行っている場合、制御部１４１は、硬貨収納繰出部８１への硬貨の収納処理を禁止する状態になっている。このため、制御部１４１は、入金貯留部６２を、図４に示すように、底板６５を装填位置に保持した状態のまま入金貯留部本体６４を側方の収納位置に移動させることで貯留区分部６３ａ〜６３ｇから落下する硬貨をその分類状態のままで硬貨収納部７１に収納する収納部収納処理を行う。
【００７９】
この収納部収納処理によって、貯留区分部６３ｇから落下する汚損硬貨を収納カセット７１ｇが収納し、貯留区分部６３ａから落下する１円の正常硬貨を収納カセット７１ａが収納し、貯留区分部６３ｂから落下する５０円の正常硬貨を収納カセット７１ｂが収納し、貯留区分部６３ｃから落下する５円の正常硬貨を収納カセット７１ｃが収納し、貯留区分部６３ｄから落下する１００円の正常硬貨を収納カセット７１ｄが収納し、貯留区分部６３ｅから落下する１０円の正常硬貨を収納カセット７１ｅが収納し、貯留区分部６３ｆから落下する５００円の正常硬貨を収納カセット７１ｆが収納する。その後、制御部１４１は、入金貯留部本体６４を図３に示す装填位置に戻して、収納部収納処理すなわち入金収納処理を終了する。
【００８０】
つまり、硬貨収納繰出部８１の繰出処理中に、入金貯留部６２に貯留している硬貨を硬貨収納繰出部８１に収納すると、硬貨収納繰出部８１の繰出処理で繰り出しジャムが発生する可能性が高くなることから、繰り出しジャムの発生を抑制するために、硬貨収納繰出部８１の繰出処理中は、入金貯留部６２に貯留している硬貨を、その分類状態のまま、硬貨収納繰出部８１とは別の硬貨収納部７１に収納する。
【００８１】
入金処理後、操作部１４５に了解操作が入力された時点で、硬貨収納繰出部８１が硬貨を繰り出す繰出処理を行っていなければ、制御部１４１は、入金貯留部６２の金種別の貯留区分部６３ａ〜６３ｆに貯留している硬貨量と、硬貨収納繰出部８１の金種別の出金ホッパ８１ａ〜８１ｆに収納している硬貨量とを、金種別に加算して金種別の合計値を割り出す。また、貯留区分部６３ｇに貯留している汚損硬貨の硬貨量と、汚損カセット８２ｇに貯留している硬貨量とを加算して汚損硬貨の合計値を割り出す。そして、制御部１４１は、各金種別の合計値を各金種別に予め設定された上限値と比較するとともに、汚損硬貨の合計値を汚損硬貨の予め設定された上限値と比較する。
【００８２】
つまり、制御部１４１は、貯留区分部６３ａの硬貨量と出金ホッパ８１ａの硬貨量とを加算して１円の正常硬貨の硬貨量の合計値を割り出し、この合計値を１円の正常硬貨の硬貨量の上限値と比較する。また、制御部１４１は、貯留区分部６３ｂの硬貨量と出金ホッパ８１ｂの硬貨量とを加算して５０円の正常硬貨の硬貨量の合計値を割り出し、この合計値を５０円の正常硬貨の硬貨量の上限値と比較する。同様にして、制御部１４１は、５円の正常硬貨の硬貨量の合計値を割り出して、これを５円の正常硬貨の硬貨量の上限値と比較し、１００円の正常硬貨の硬貨量の合計値を割り出して、これを１００円の正常硬貨の硬貨量の上限値と比較し、１０円の正常硬貨の硬貨量の合計値を割り出して、これを１０円の正常硬貨の硬貨量の上限値と比較し、５００円の正常硬貨の硬貨量の合計値を割り出して、これを５００円の正常硬貨の硬貨量の上限値と比較する。また、制御部１４１は、入金貯留部６２の汚損硬貨用の貯留区分部６３ｇに貯留している硬貨量と、硬貨収納出金部２２の汚損硬貨用の汚損カセット８２ｇに収納している硬貨量とを加算して合計値を割り出し、この合計値についても汚損硬貨用に設定された上限値と比較する。
【００８３】
ここで、上限値は、出金ホッパ８１ａ〜８１ｆおよび汚損カセット８２ｇのそれぞれの最大収納許容量が設定されている。つまり、出金ホッパ８１ａに１円の正常硬貨を問題なく収納できる最大収納量である満杯値が出金ホッパ８１ａにおける１円の正常硬貨の硬貨量の上限値に設定されている。また、出金ホッパ８１ｂに５０円の正常硬貨を問題なく収納できる最大収納量である満杯値が出金ホッパ８１ｂにおける５０円の正常硬貨の硬貨量の上限値に設定されている。５円の正常硬貨、１００円の正常硬貨、１０円の正常硬貨および５００円の正常硬貨についても、同様である。汚損硬貨については、市場流通枚数の比率に基づき、この比率で汚損硬貨が発生すると仮定して、汚損カセット８２ｇに問題なく収納できる硬貨の最大収納量である満杯値が硬貨量の上限値に設定されている。あるいは、大きさが最大の５００円硬貨を汚損カセット８２ｇに問題なく収納できる最大収納量である満杯値を、汚損硬貨の硬貨量の上限値に設定している。
【００８４】
そして、割り出した硬貨量の金種別の合計値がいずれか一金種でも上限値を超えると、制御部１４１は、硬貨収納繰出部８１への硬貨の収納処理を禁止する状態になり、上記した収納部収納処理を行って、貯留区分部６３ｇの硬貨を収納カセット７１ｇに、貯留区分部６３ａの硬貨を収納カセット７１ａに、貯留区分部６３ｂの硬貨を収納カセット７１ｂに、貯留区分部６３ｃの硬貨を収納カセット７１ｃに、貯留区分部６３ｄの硬貨を収納カセット７１ｄに、貯留区分部６３ｅの硬貨を収納カセット７１ｅに、貯留区分部６３ｆの硬貨を収納カセット７１ｆに、それぞれ収納する。その後、制御部１４１は、入金貯留部本体６４を図３に示す装填位置に戻して、収納部収納処理つまり入金収納処理を終了する。
【００８５】
つまり、制御部１４１は、入金貯留部６２に分類別に貯留している硬貨を、その分類状態のまま、硬貨収納出金部２２に収納すると、硬貨収納出金部２２の出金ホッパ８１ａ〜８１ｆおよび汚損カセット８２ｇのいずれかで最大収納量である満杯値を超えてしまう場合、入金貯留部６２に分類別に貯留している硬貨を、その分類状態のまま、硬貨収納出金部２２とは別の硬貨収納部７１に収納する。言い換えれば、制御部１４１は、入金貯留部６２の金種別の貯留区分部６３ａ〜６３ｆおよび硬貨収納繰出部８１の金種別の出金ホッパ８１ａ〜８１ｆの硬貨量の金種別の合計値が、いずれか一金種でも上限値を超えると、入金貯留部６２に貯留している硬貨を硬貨収納部７１に収納する。
【００８６】
入金処理後、操作部１４５に了解操作が入力された時点で、硬貨収納出金部２２が硬貨を繰り出す繰出処理を行っておらず、上記した入金貯留部６２の金種別の硬貨量と硬貨収納出金部２２の金種別の硬貨量との金種別の合計値が、いずれの金種についても上限値を超えず、入金貯留部６２の汚損硬貨の硬貨量と硬貨収納出金部２２の汚損硬貨の硬貨量との合計値も上限値を超えない場合に、制御部１４１は、硬貨収納繰出部８１への硬貨の収納処理を許容する状態になり、図６に示すように入金貯留部本体６４を装填位置に保持した状態のまま底板６５を側方の収納位置に移動させて貯留区分部６３ａ〜６３ｇから落下する硬貨をその分類状態のままで硬貨収納繰出部８１および汚損カセット８２ｇに収納する硬貨収納繰出部等収納処理を行う。
【００８７】
この硬貨収納繰出部等収納処理によって、貯留区分部６３ｇから落下する汚損硬貨を汚損カセット８２ｇが、貯留区分部６３ａから落下する１円の正常硬貨を出金ホッパ８１ａが、貯留区分部６３ｂから落下する５０円の正常硬貨を出金ホッパ８１ｂが、貯留区分部６３ｃから落下する５円の正常硬貨を出金ホッパ８１ｃが、貯留区分部６３ｄから落下する１００円の正常硬貨を出金ホッパ８１ｄが、貯留区分部６３ｅから落下する１０円の正常硬貨を出金ホッパ８１ｅが、貯留区分部６３ｆから落下する５００円の正常硬貨を出金ホッパ８１ｆが、それぞれ収納する。その後、制御部１４１は、図３に示すように、底板６５を装填位置に戻して、硬貨収納繰出部等収納処理つまり入金収納処理を終了する。ここで、制御部１４１は、この硬貨収納繰出部等収納処理を開始した後は、この硬貨収納繰出部等収納処理が終了するまでは、硬貨収納繰出部８１の硬貨を繰り出す繰出処理を禁止する。そして、硬貨収納繰出部等収納処理が終了すると、硬貨収納繰出部８１の硬貨を繰り出す繰出処理を許容する状態になる。
【００８８】
以上、硬貨収納出金部２２の硬貨収納繰出部８１が繰出処理中でなければ、入金貯留部６２に貯留している硬貨を硬貨収納繰出部８１に収納しても、繰出処理を行っていない硬貨収納繰出部８１に繰り出しジャムが発生することはないため、硬貨収納繰出部８１の非繰出処理時には、入金貯留部６２に貯留している硬貨を、その分類状態のまま、硬貨収納繰出部８１に収納する。
【００８９】
「入金返却処理」
入金処理後、操作部１４５にキャンセル操作が入力されると、制御部１４１は、底板６５および入金貯留部本体６４を収納位置に移動させた後に、図５に示すように、入金貯留部本体６４のみをさらに側方の返却位置に移動させて、貯留区分部６３ａ〜６３ｇから落下する硬貨をその分類状態のままで硬貨返却部７５に収容する。
【００９０】
すなわち、貯留区分部６３ｇから落下する汚損硬貨を返却区分部７５ｇが、貯留区分部６３ａから落下する１円の正常硬貨を返却区分部７５ａが、貯留区分部６３ｂから落下する５０円の正常硬貨を返却区分部７５ｂが、貯留区分部６３ｃから落下する５円の正常硬貨を返却区分部７５ｃが、貯留区分部６３ｄから落下する１００円の正常硬貨を返却区分部７５ｄが、貯留区分部６３ｅから落下する１０円の正常硬貨を返却区分部７５ｅが、貯留区分部６３ｆから落下する５００円の正常硬貨を返却区分部７５ｆが、それぞれ収容する。その後、制御部１４１は、図３に示すように、底板６５および入金貯留部本体６４を装填位置に戻して、返却処理を終了する。この状態で、硬貨返却部７５は、図２に示すベース筐体４３から取り外されて、収容していた硬貨が外部に取り出される。
【００９１】
「自動包装処理」
制御部１４１は、上記した硬貨収納繰出部等収納処理の終了後、硬貨収納繰出部８１の出金ホッパ８１ａ〜８１ｆのそれぞれの硬貨量つまり金種別の硬貨量を、金種別に設定されたニアフル値と、金種別に比較する。出金ホッパ８１ａ〜８１ｆのいずれかの硬貨量が、対応するニアフル値を超えると、制御部１４１は、出金ホッパ８１ａ〜８１ｆのニアフル値を超えたものから硬貨を棒金処理部１２に向け繰り出す繰出処理を行って、出金ホッパ８１ａ〜８１ｆのニアフル値を超えたものに収納している硬貨の硬貨量を、ニアフル値よりも所定値を超えて下回る量まで減らす。このとき、計数繰出部９１ａ〜９１ｆの対応するもので包装単位枚数あるいはその倍数分の枚数を繰り出すようにする。そして、硬貨収納繰出部８１から繰り出された硬貨を棒金処理部１２で包装する。
【００９２】
例えば、硬貨収納繰出部等収納処理の終了後、出金ホッパ８１ａに収納されている１円の正常硬貨の硬貨量が、１円の正常硬貨について設定されているニアフル値を超えると、繰出側搬送路１１１を、出金ホッパ８１ａから繰り出された硬貨を小径側中間ゲート１３１に向けて搬送する状態とし、小径側中間ゲート１３１を、繰出側搬送路１１１で搬送されてきた硬貨を棒金処理部１２側に繰り出す状態として、出金ホッパ８１ａから硬貨をその計数繰出部９１ａで包装単位枚数あるいはその倍数分の枚数だけ繰り出し、出金ホッパ８１ａに収納されている１円の正常硬貨の硬貨量をニアフル値よりも所定値を超えて下回らせる。そして、出金ホッパ８１ａから繰り出された硬貨を棒金処理部１２に搬送してその包装部２０１で包装する。出金ホッパ８１ｂ，出金ホッパ８１ｃについても同様にする。
【００９３】
また、例えば、硬貨収納繰出部等収納処理の終了後、出金ホッパ８１ｄに収納されている１００円の正常硬貨の硬貨量が、１００円の正常硬貨について設定されているニアフル値を超えると、繰出側搬送路１１１を、出金ホッパ８１ｄから繰り出された硬貨を大径側中間ゲート１３２に向けて搬送する状態とし、大径側中間ゲート１３２を、繰出側搬送路１１１で搬送されてきた硬貨を棒金処理部１２側に繰り出す状態として、出金ホッパ８１ｄから硬貨をその計数繰出部９１ｄで包装単位枚数あるいはその倍数分の枚数だけ繰り出し、出金ホッパ８１ｄに収納されている１００円の正常硬貨の硬貨量をニアフル値よりも所定値を超えて下回らせる。そして、出金ホッパ８１ｄから繰り出された硬貨を棒金処理部１２に搬送してその包装部２０１で包装する。出金ホッパ８１ｅ，出金ホッパ８１ｆについても同様にする。
【００９４】
包装部２０１では、硬貨処理部１１から受け入れた硬貨を硬貨識別計数部２１１で計数して包装単位枚数（５０枚）の硬貨を硬貨集積包装部２１２に繰り出し、硬貨集積包装部２１２が、このように繰り出された包装単位枚数の硬貨を集積させて、その周囲に包装紙を巻き回し包装紙を両側を加締めて棒金とする。すなわち、包装部２０１は、硬貨収納繰出部８１から繰出処理により繰り出された硬貨を集積させて包装する。制御部１４１は、硬貨収納繰出部８１の出金ホッパ８１ａ〜８１ｆのいずれか一つでも収納している硬貨量が所定量を超えると、所定量を超えた出金ホッパから硬貨を繰り出す繰出処理を行うとともに、この繰出処理で繰り出された硬貨を包装部２０１で包装する。
【００９５】
そして、このように硬貨集積包装部２１２で作製された棒金を、棒金振分搬送部２１３、棒金出金部２０３の棒金出金リフト２２１、棒金収納部２０２の棒金収納搬送部２３１および棒金収納リフト２３２で搬送して棒金収納本体部２３３に金種別に収納させる。ここで、棒金収納本体部２３３の対応金種の棒金が満杯である場合、硬貨集積包装部２１２で作製された棒金を、棒金振分搬送部２１３および棒金出金リフト２２１で棒金一括収納部２２４に収納する。
【００９６】
硬貨収納繰出部等収納処理の終了後、出金ホッパ８１ａ〜８１ｆのうちの複数の出金ホッパにおいて、収納している硬貨の硬貨量がニアフル値を超えている場合、制御部１４１は、いずれか一金種について繰出処理を開始したら、繰り出した全ての硬貨が、硬貨集積包装部２１２に送り込まれて包装されるまで待機して、次の金種について繰出処理を開始し、この金種について繰り出した全ての硬貨が、硬貨集積包装部２１２に送り込まれて包装されたら、次の金種について繰出処理を開始するということを繰り返して、一金種ずつ包装する。その場合、例えば、出金ホッパ８１ａ〜８１ｆのうち、硬貨量が多いものから順に繰出処理を行う。逆に、出金ホッパ８１ａ〜８１ｆのうち、硬貨量が少ないものから順に繰出処理を行っても良い。
【００９７】
そして、硬貨収納繰出部８１のすべての出金ホッパ８１ａ〜８１ｆの硬貨量がニアフル値を所定値を超えて下回る状態となり、硬貨収納繰出部８１から繰り出された硬貨がすべて棒金となって棒金収納本体部２３３あるいは棒金一括収納部２２４に収納されると、制御部１４１は、自動包装処理を終了する。
【００９８】
自動包装処理としては、上記のように、出金ホッパ８１ａ〜８１ｆの硬貨量が包装基準値よりも大きくなった場合に行われる処理以外に、棒金処理部１２の棒金の収納量に応じて、出金ホッパ８１ａ〜８１ｆから硬貨を繰り出し棒金処理部１２に搬送して棒金を作製する処理もある。この場合、出金ホッパ８１ａ〜８１ｆの硬貨量が、運用上必要な最小値である所定の基準値を下回らない範囲で、自動的に、出金ホッパ８１ａ〜８１ｆから硬貨を繰り出し棒金処理部１２に搬送して棒金を作製する。例えば、棒金処理部１２における棒金の金種別の収納量の変化から、棒金での出金が多い金種を判別し、この金種の硬貨を硬貨処理部１１から棒金処理部１２に繰り出して棒金を作製する。
【００９９】
ここで、硬貨処理装置１０は、自動包装処理の実行中であって、硬貨収納繰出部８１から硬貨を繰り出す繰出処理中であっても、これと並行して、上記した入金処理および入金収納処理が可能となっている。そして、自動包装処理において硬貨収納繰出部８１から硬貨を繰り出す繰出処理中、制御部１４１は、上記したように硬貨収納繰出部８１へ硬貨を収納する硬貨収納繰出部等収納処理を禁止する状態になっていることから、入金貯留部６２の硬貨を硬貨収納部７１に収納する収納部収納処理を行う。すなわち、制御部１４１は、自動包装処理において硬貨収納繰出部８１から硬貨を繰り出す繰出処理と、入金収納処理において硬貨収納部７１に硬貨を収納する収納部収納処理とを並行して行う。他方、硬貨収納繰出部８１から硬貨を繰り出す繰出処理中にない場合、制御部１４１は、上記したように硬貨収納繰出部８１へ硬貨を収納する硬貨収納繰出部等収納処理を許容する状態になっていることから、自動包装処理中でない場合、入金収納処理において入金貯留部６２の硬貨を硬貨収納繰出部８１に収納する硬貨収納繰出部等収納処理を行う。すなわち、制御部１４１は、自動包装処理において硬貨収納繰出部８１から硬貨を繰り出す繰出処理時には、入金収納処理において、この繰出処理と並行して入金貯留部６２によって硬貨を硬貨収納部７１に収納する収納部収納処理を行う一方、この繰出処理時以外は、入金貯留部６２によって硬貨を硬貨収納繰出部８１に収納する硬貨収納繰出部等収納処理を行う。
【０１００】
なお、自動包装処理において硬貨収納繰出部８１から硬貨を繰り出す繰出処理中、入金貯留部６２の硬貨を硬貨収納部７１に収納する収納部収納処理を行おうとした際に、硬貨収納部７１の収納カセット７１ａ〜７１ｇのいずれかにおいて硬貨量が最大収納量に達した満杯状態にある場合、制御部１４１は、自動包装処理の終了を待って、入金貯留部６２の硬貨を硬貨収納繰出部８１に収納する硬貨収納繰出部等収納処理を行う。また、硬貨収納部７１の収納カセット７１ａ〜７１ｇのいずれかにおいて硬貨量が最大収納量に達した満杯状態にあり、かつ、硬貨収納繰出部８１の出金ホッパ８１ａ〜８１ｇのいずれかにおいて硬貨量が最大収納量に達した満杯状態にある場合、制御部１４１は、操作部１４５への入金処理の選択操作を受け付けない状態となる。
【０１０１】
または、自動包装処理において硬貨収納繰出部８１から硬貨を繰り出す繰出処理中、入金貯留部６２の硬貨を硬貨収納部７１に収納する収納部収納処理を行おうとした際に、硬貨収納部７１の収納カセット７１ａ〜７１ｇのいずれかにおいて硬貨量が最大収納量に達した満杯状態にある場合、制御部１４１は、その旨を表示部１４６に表示させると共に警告音を鳴らし、最大収納量に達した収納カセット７１ａ〜７１ｇを空の収納カセットと交換するようにユーザに促す。制御部１４１は、ユーザによる収納カセットの交換後に、入金貯留部６２の硬貨を硬貨収納部７１に収納する収納部収納処理を行う。このようにすることで、自動包装処理において硬貨収納繰出部８１から硬貨を繰り出す繰出処理と並行して、収納カセット７１ａ〜７１ｇの交換を行うことが可能になる。
【０１０２】
「硬貨出金処理」
操作部１４５に出金させる硬貨の金種別の枚数を含む出金処理操作が入力されると、制御部１４１は、硬貨収納繰出部８１の出金ホッパ８１ａ〜８１ｆの対応する金種のものから硬貨を繰り出す繰出処理を行って硬貨出金部１０２に搬送する。
【０１０３】
例えば、出金させる硬貨に１円の正常硬貨が含まれている場合、出金ホッパ８１ａから硬貨をその計数繰出部９１ａで出金枚数だけ繰り出し、繰出側搬送路１１１および出金側搬送路１１２で搬送して、出金識別計数部１１４で識別しつつ計数して、硬貨出金部１０２に搬送する。出金ホッパ８１ｂ〜８１ｆについても同様にする。そして、出金させる全金種の硬貨をそれぞれの設定枚数繰り出すと、制御部１４１は、硬貨出金処理を終了する。その後、硬貨出金部１０２が、装置本体４１の収納引出部７２から取り外されて、収容していた硬貨が外部に取り出される。すなわち、硬貨出金部１０２は、硬貨収納繰出部８１の繰出処理により繰り出された硬貨を外部に取り出し可能に出金する。ここで、硬貨出金処理において、出金識別計数部１１４で、出金させる硬貨に含まれない金種の硬貨や、出金枚数を超える枚数の硬貨が検出された場合、制御部１４１は、硬貨出金部１０２に貯留していた全ての硬貨を、出金リジェクト案内部１０３で出金リジェクト部１０４に収容して、硬貨出金処理をやり直す。
【０１０４】
硬貨処理装置１０は、この硬貨出金処理の実行中であって、硬貨収納繰出部８１から硬貨を繰り出す繰出処理中であっても、これと並行して、上記した入金処理および入金収納処理が可能となっている。そして、硬貨出金処理において硬貨収納繰出部８１から硬貨を繰り出す繰出処理中、制御部１４１は、上記したように硬貨収納繰出部８１へ硬貨を収納する硬貨収納繰出部等収納処理を禁止する状態になっていることから、入金貯留部６２の硬貨を硬貨収納部７１に収納する収納部収納処理を行う。すなわち、制御部１４１は、硬貨出金処理において硬貨収納繰出部８１から硬貨を繰り出す繰出処理と、入金収納処理において硬貨収納部７１に硬貨を収納する収納部収納処理とを並行して行う。他方、硬貨収納繰出部８１から硬貨を繰り出す繰出処理中にない場合、制御部１４１は、上記したように硬貨収納繰出部８１へ硬貨を収納する硬貨収納繰出部等収納処理を許容する状態になっていることから、硬貨出金処理中でない場合、入金収納処理において入金貯留部６２の硬貨を硬貨収納繰出部８１に収納する硬貨収納繰出部等収納処理を行う。すなわち、制御部１４１は、硬貨出金処理において硬貨収納繰出部８１から硬貨を繰り出す繰出処理時には、入金収納処理において、この繰出処理と並行して入金貯留部６２によって硬貨を硬貨収納部７１に収納する収納部収納処理を行う一方、この繰出処理時以外は、入金貯留部６２によって硬貨を硬貨収納繰出部８１に収納する硬貨収納繰出部等収納処理を行う。
【０１０５】
なお、硬貨出金処理において硬貨収納繰出部８１から硬貨を繰り出す繰出処理中、入金貯留部６２の硬貨を硬貨収納部７１に収納する収納部収納処理を行おうとした際に、硬貨収納部７１の収納カセット７１ａ〜７１ｇのいずれかにおいて硬貨量が最大収納量に達した満杯状態にある場合、制御部１４１は、硬貨出金処理の終了を待って、入金貯留部６２の硬貨を硬貨収納繰出部８１に収納する硬貨収納繰出部等収納処理を行う。また、硬貨収納部７１の収納カセット７１ａ〜７１ｇのいずれかにおいて硬貨量が最大収納量に達した満杯状態にあり、かつ、硬貨収納繰出部８１の出金ホッパ８１ａ〜８１ｆのいずれかにおいて硬貨量が最大収納量に達した満杯状態にある場合、制御部１４１は、操作部１４５への入金処理の選択操作を受け付けない状態となる。
【０１０６】
また、制御部１４１は、硬貨出金処理において硬貨収納繰出部８１から硬貨を繰り出す繰出処理と、入金収納処理において硬貨収納部７１に硬貨を収納する収納部収納処理とを並行して行っている場合に、出金させる全金種の硬貨をそれぞれの設定枚数繰り出すと、硬貨出金処理を終了し、硬貨出金部１０２に収容した硬貨を外部に取り出し可能にする。そして、硬貨出金部１０２が、装置本体４１の収納引出部７２から取り外されて、収容していた硬貨が外部に取り出される。この状態で、制御部１４１は、硬貨収納部７１の収納カセット７１ａ〜７１ｇのいずれかにおいて硬貨量が最大収納量に達した満杯状態にある場合、制御部１４１は、その旨を表示部１４６に表示させると共に警告音を鳴らし、最大収納量に達した収納カセット７１ａ〜７１ｇを空の収納カセットと交換するようにユーザに促す。制御部１４１は、ユーザによる収納カセットの交換後に、入金貯留部６２の硬貨を硬貨収納部７１に収納する収納部収納処理を行う。このようにすることで、装置本体４１の収納引出部７２から硬貨出金部１０２を取り外して収容されている硬貨を外部に取り出す処理と並行して、収納カセット７１ａ〜７１ｇの交換を行うことが可能になる。
【０１０７】
「精査処理」
操作部１４５に精査処理（再勘処理）を行う旨の精査処理操作が入力されると、制御部１４１は、精査処理を行う金種の選択画面を表示部１４６に表示させて、操作部１４５への選択操作を待機する。この状態で、操作部１４５へ一金種または複数金種または全金種の選択操作が入力されると、制御部１４１は、その時点で自動設定されているモードが、精査処理の処理速度が高速の高速モードであるか低速の低速モードであるかの表示を行うとともに、自動設定されているモードに対して、モードを変更するか否かの選択画面を表示部１４６に表示させて、操作部１４５への選択操作を待機する。
【０１０８】
ここで、制御部１４１は、高速モードおよび低速モードを、予め設定された時刻情報、すなわち予約された設定切替時刻情報に基づいて切り替えるようになっている。この設定切替時刻情報には、時刻に加えて、曜日および日にちのうちの少なくともいずれか一つを含めることが可能である。低速モードおよび高速モードが切り替わる設定切替時刻情報は、別途の設定モードにおいて、切り替え回数および各回の設定切替時刻情報が任意に設定可能となっている。
【０１０９】
例えば、業務時間外で任意の時間を低速モードとし、それ以外を高速モードとする。具体的には、毎日１８：００〜翌朝９：００には低速モードとし、それ以外の時間帯は高速モードとしたり、店舗が休みとなる土、日、休日は低速モードとし、店舗が営業するそれ以外の日は高速モードとしたり、硬貨処理装置１０側にデフォルトとして設定の切り替え時刻情報を持たせても良いし、該デフォルトから変更できるようにしても良い。切り替え時刻情報の設定値は、制御部１４１の内部メモリに格納されており、硬貨処理装置１０の主電源をＯＦＦしても保持される。
【０１１０】
精査処理のモード切り替えの予約設定の操作は、硬貨処理装置１０の操作部１４５により設定を行う本機設定と、通信回線を介して、上位機側から硬貨処理装置１０の制御部１４１に対し、設定を指示する通信制御設定とが可能となっている。通信制御設定では、通信回線を介して、店舗内または店舗外にある上位機（ＰＣなどの通信端末）から硬貨処理装置１０の制御部１４１に対し、自己精査処理の低速モードおよび高速モードの切り替え時刻情報の設定を行わせる。なお、設定を行う際には、認証により権限のある者が設定可能なように構成しても良い。
【０１１１】
一例を示すと、制御部１４１は、第１の設定切替時刻である９時００分を境に、その前は低速モードを、それ以降、第２の設定切替時刻である１８時００分まで高速モードを、第２の設定切替時刻である１８時００分の以降は、翌日の第１の設定切替時刻である９時００分まで低速モードを、それぞれ自動設定するようになっている。すなわち、硬貨処理装置１０は、日中（９時００分以降、１８時００分まで）は高速モードで精査処理を行うように自動設定され、夜間（１８時００分以降、９時００分まで）は低速モードで精査処理を行うように自動設定されている。なお、制御部１４１は、第１の設定切替時刻になった時点で、低速モードで精査処理を行っている場合には、この精査処理の終了を待って低速モードから高速モードに切り替え、第２の設定切替時刻になった時点で、高速モードで精査処理を行っている場合は、この精査処理の終了を待って高速モードから低速モードに切り替える。
【０１１２】
（高速モード）
例えば、精査対象として全金種を選択する選択操作が入力されるとともに、その時点で自動設定されているモードが高速モードであって高速モードの承認操作が入力され、あるいは、その時点で自動設定されているモードが低速モードであって高速モードへの手動切替操作が入力された場合、制御部１４１は、高速モードで精査処理を行う。
【０１１３】
制御部１４１は、まず、繰出駆動モータ３０１を駆動して、出金ホッパ８１ａ〜８１ｆおよび精査ホッパ８３ｈの底部の共通のベルトコンベアを回転させるとともに、搬送駆動モータ３０６，３０７，３１１，３１４，３１７を駆動して、繰出側搬送路１１１、出金側搬送路１１２、戻入下搬送路１２１、戻入縦搬送路１２３および戻入上搬送路１２５を回転させる。
【０１１４】
このとき、制御部１４１は、繰出駆動モータ３０１を、出金ホッパ８１ａ〜８１ｆおよび精査ホッパ８３ｈの底部を構成するベルトコンベアによる硬貨の繰出速度が、低速モードでの第２の繰出速度よりも速い第１の繰出速度となるように駆動する。また、搬送駆動モータ３０６，３０７，３１１，３１４，３１７を、繰出側搬送路１１１、出金側搬送路１１２、戻入下搬送路１２１、戻入縦搬送路１２３および戻入上搬送路１２５による硬貨の搬送速度が、低速モードでの第２の搬送速度よりも速い第１の搬送速度となるように駆動する。
【０１１５】
この状態で、制御部１４１は、例えば、出金ホッパ８１ａ〜８１ｆを、繰出側搬送路１１１の搬送方向上流側の出金ホッパ８１ｆから、出金ホッパ８１ｆ，８１ｅ，８１ｄ，８１ｃ，８１ｂ，８１ａの順に、貨幣量である硬貨量を精査する。なお、これとは逆に、出金ホッパ８１ａ，８１ｂ，８１ｃ，８１ｄ，８１ｅ，８１ｆの順に精査しても良い。
【０１１６】
まず、出金ホッパ８１ｆを精査対象として精査するため、制御部１４１は、精査処理の往路処理を開始し、出金ホッパ８１ｆの計数繰出部９１ｆの繰出ソレノイド３０２ｆを駆動し、計数繰出部９１ｆのゲートを開いて硬貨を連続的に一枚ずつ、計数センサ３０３ｆで繰り出しを確認しながら、繰出側搬送路１１１に繰り出させる。
【０１１７】
これにより、出金ホッパ８１ｆは、その内部の硬貨を一枚ずつ計数繰出部９１ｆから第１の時間間隔で繰出側搬送路１１１に繰り出し、繰出側搬送路１１１および出金側搬送路１１２により第１の搬送速度で搬送し、精査ゲート１２２で出金側搬送路１１２から戻入下搬送路１２１に移動させて、戻入下搬送路１２１、戻入縦搬送路１２３および戻入上搬送路１２５により第１の搬送速度で搬送して、精査ホッパ８３ｈに貯留させる。この間、硬貨は、隣り合うもの同士が低速モードでの間隔よりも狭い間隔で搬送されることになる。
【０１１８】
上記の繰り出しおよび搬送を行うことで、最終的に、精査対象である出金ホッパ８１ｆに収納されていた硬貨がすべて計数繰出部９１ｆから繰り出されて出金ホッパ８１ｆが空になったことを残留検知センサ３０４ｆで検知し、その上で、計数センサ３０３ｆ、残留検知センサ３１２、計数センサ３１５および残留検知センサ３２２で、出金ホッパ８１ｆに収納されていた硬貨がすべて精査ホッパ８３ｈに移動したことを検知すると、出金ホッパ８１ｆの計数繰出部９１ｆの繰出ソレノイド３０２ｆの駆動を停止させ、計数繰出部９１ｆのゲートを閉じて、往路処理を終了する。
【０１１９】
次に、制御部１４１は、精査処理の復路処理を開始し、精査対象である出金ホッパ８１ｆに対応する戻入ソレノイド３２１ｆを駆動して戻入ゲート１２６ｆを出金ホッパ８１ｆ側に揺動させるとともに、精査ホッパ８３ｈの識別計数繰出部９３ｈの繰出ソレノイド３０２ｈを駆動して、識別計数繰出部９３ｈのゲートを開き、硬貨を連続的に一枚ずつ、識別計数センサ３０３ｈで金種識別および計数を行いながら、繰出側搬送路１１１に繰り出す。
【０１２０】
これにより、精査ホッパ８３ｈは、その内部の硬貨を一枚ずつ識別計数繰出部９３ｈから識別計数センサ３０３ｈで識別および計数しつつ第１の時間間隔で繰出側搬送路１１１に繰り出し、繰出側搬送路１１１および出金側搬送路１１２によって第１の搬送速度で搬送し、精査ゲート１２２で出金側搬送路１１２から戻入下搬送路１２１に移動させて、戻入下搬送路１２１、戻入縦搬送路１２３および戻入上搬送路１２５によって第１の搬送速度で搬送し、出金ホッパ８１ｆ側に揺動している戻入ゲート１２６ｆで精査対象である出金ホッパ８１ｆに戻す。この間、硬貨は、隣り合うもの同士が低速モードでの間隔よりも狭い間隔で搬送されることになる。
【０１２１】
ここで、識別計数センサ３０３ｈで、精査対象である出金ホッパ８１ｆに収納すべき金種ではない異金種硬貨を検知すると、この異金種硬貨は、出金ホッパ８１ｆよりも上流側の出金ホッパ８１ａ〜８１ｅに収納するものであるため、制御部１４１は、この異金種硬貨を計数センサ３１５で検知したタイミングに基づき、第１の搬送速度に合わせたタイミングで、戻入ソレノイド３２１ａ〜３２１ｅのうちの、この異金種硬貨に対応するものを駆動して、戻入ゲート１２６ａ〜１２６ｅのうちの対応するものを出金ホッパ８１ａ〜８１ｅ側に揺動させて、出金ホッパ８１ａ〜８１ｅのうちの適正な金種のものに収納する。その後、制御部１４１は、第１の搬送速度に合わせたタイミングで、戻入ソレノイド３２１ａ〜３２１ｅのうちの、この異金種硬貨に対応するものの駆動を停止させて、戻入ゲート１２６ａ〜１２６ｅのうちの、この異金種硬貨に対応するものを出金ホッパ８１ａ〜８１ｅとは反対側に揺動させて、再び、硬貨を戻入ゲート１２６ｆで出金ホッパ８１ｆに戻して収納する状態とする。
【０１２２】
上記の繰り出しおよび搬送を行うことで、最終的に、精査ホッパ８３ｈに貯留されていた硬貨がすべて識別計数繰出部９３ｈから繰り出されて精査ホッパ８３ｈが空になったことを残留検知センサ３０４ｈで検知し、その上で、識別計数センサ３０３ｈ、残留検知センサ３１２、計数センサ３１５および残留検知センサ３２２で、精査ホッパ８３ｈに貯留されていた硬貨がすべて出金ホッパ８１ａ〜８１ｆに移動したことを検知すると、制御部１４１は、復路処理を終了し、識別計数センサ３０３ｈの識別および計数結果から、精査対象である出金ホッパ８１ｆ内の硬貨量を確定する。その後、残りの出金ホッパ８１ａ〜８１ｅについて、出金ホッパ８１ｅ，８１ｄ，８１ｃ，８１ｂ，８１ａの順に、同様に往路処理と復路処理とからなる精査処理を行って硬貨量を確定する。
【０１２３】
なお、出金ホッパ８１ａ〜８１ｅのいずれかの精査処理中に、識別計数センサ３０３ｈで、精査対象である出金ホッパに収納すべき金種ではない異金種硬貨を検知すると、制御部１４１は、戻入上搬送路１２５の硬貨搬送方向において、異金種硬貨が精査対象よりも上流側の出金ホッパに収納すべきものである場合、上記と同様に、第１の搬送速度に合わせたタイミングで、戻入ソレノイド３２１ａ〜３２１ｄのうちの、この異金種硬貨に対応するものを駆動して、戻入ゲート１２６ａ〜１２６ｄのうちの、この異金種硬貨に対応するものを出金ホッパ８１ａ〜８１ｄ側に揺動させて、この異金種硬貨を出金ホッパ８１ａ〜８１ｄのうちの適正な金種のものに収納する。その後、制御部１４１は、第１の搬送速度に合わせたタイミングで、戻入ゲート１２６ａ〜１２６ｄのうちの、異金種硬貨に対応するものを出金ホッパ８１ａ〜８１ｄとは反対側に揺動させて、再び、硬貨を戻入ゲート１２６ｂ〜１２６ｅのうちの精査対象のもので出金ホッパ８１ｂ〜８１ｅの精査対象のものに収納する状態とする。
【０１２４】
また、制御部１４１は、戻入上搬送路１２５の硬貨搬送方向において、異金種硬貨が精査対象よりも下流側に出金ホッパを有する場合、第１の搬送速度に合わせたタイミングで、戻入ゲート１２６ａ〜１２６ｅのうちの精査対象の金種のものを出金ホッパ８１ａ〜８１ｅとは反対側に揺動させるとともに、第１の搬送速度に合わせたタイミングで、戻入ゲート１２６ｂ〜１２６ｆのうちの、この異金種硬貨に対応するものを出金ホッパ８１ｂ〜８１ｆ側に揺動させて、この異金種硬貨を出金ホッパ８１ｂ〜８１ｆのうちの適正な金種のものに収納する。その後、制御部１４１は、第１の搬送速度に合わせたタイミングで、戻入ゲート１２６ａ〜１２６ｅのうちの精査対象のものを出金ホッパ８１ａ〜８１ｅ側に揺動させるとともに、第１の搬送速度に合わせたタイミングで、戻入ゲート１２６ｂ〜１２６ｆのうちの、異金種硬貨に対応するものを出金ホッパ８１ｂ〜８１ｆとは反対側に揺動させて、再び、硬貨を戻入ゲート１２６ａ〜１２６ｅのうちの精査対象のもので出金ホッパ８１ａ〜８１ｅの精査対象のものに収納する状態とする。異金種硬貨が、すでに硬貨量が確定した出金ホッパ８１ａ〜８１ｆのいずれかに収納される場合、制御部１４１は、すでに確定した硬貨量にこの異金種硬貨の枚数分を加算する。
【０１２５】
（低速モード）
例えば、全金種を選択する選択操作が入力されるとともに、その時点で自動設定されているモードが低速モードであって低速モードの承認操作が入力され、あるいは、その時点で自動設定されているモードが高速モードであって低速モードへの手動切替操作が入力された場合、制御部１４１は、低速モードで精査処理を行う。なお、臨時となる低速モードへの手動切り替えについては、硬貨処理装置１０の状況に基づいて行う必要があることから、基本的に、硬貨処理装置１０で行う。但し、手動切り替えに際して、操作権限が設定されているなどの理由によって、精査処理を行うべき状況のときに、その権限を有する管理者等がいない場合を考慮し、外部の管理センターの権限にて、現場状況を確認するなどの上で、管理センター側からの通信制御により臨時的に硬貨処理装置１０の低速モードへの手動切り替えを行うようにしても良い。
【０１２６】
制御部１４１は、まず、繰出駆動モータ３０１を、出金ホッパ８１ａ〜８１ｆおよび精査ホッパ８３ｈの底部を構成するベルトコンベアによる硬貨の繰出速度が、高速モードでの第１の繰出速度よりも遅い第２の繰出速度となるように駆動する。また、搬送駆動モータ３０６，３０７，３１１，３１４，３１７を、繰出側搬送路１１１、出金側搬送路１１２、戻入下搬送路１２１、戻入縦搬送路１２３および戻入上搬送路１２５による硬貨の搬送速度が、高速モードでの第１の搬送速度よりも遅い第２の搬送速度となるように駆動する。
【０１２７】
この状態で、制御部１４１は、往路処理を開始し、最初の精査対象である出金ホッパ８１ｆの計数繰出部９１ｆの繰出ソレノイド３０２ｆを駆動して、計数繰出部９１ｆのゲートを開く。すると、出金ホッパ８１ｆは、その内部の硬貨を一枚ずつ計数繰出部９１ｆから第２の時間間隔で繰出側搬送路１１１に繰り出し、繰出側搬送路１１１および出金側搬送路１１２によって第２の搬送速度で搬送し、精査ゲート１２２で出金側搬送路１１２から戻入下搬送路１２１に移動させて、戻入下搬送路１２１、戻入縦搬送路１２３および戻入上搬送路１２５によって第２の搬送速度で搬送して、精査ホッパ８３ｈに貯留させる。この間、硬貨は、隣り合うもの同士が高速モードでの間隔よりも広い間隔で搬送されることになる。
【０１２８】
そして、精査対象である出金ホッパ８１ｆに収納されていた硬貨がすべて繰り出されて、精査ホッパ８３ｈに移動したことを残留検知センサ３０４ｆ、計数センサ３０３ｆ、残留検知センサ３１２、計数センサ３１５および残留検知センサ３２２で検知すると、制御部１４１は、計数繰出部９１ｆの繰出ソレノイド３０２ｆの駆動を停止させ、計数繰出部９１ｆのゲートを閉じて、往路処理を終了し、次に復路処理を開始して、出金ホッパ８１ｆに対応する戻入ソレノイド３２１ｆを駆動して戻入ゲート１２６ｆを出金ホッパ８１ｆ側に揺動させる。それとともに、制御部１４１は、精査ホッパ８３ｈの識別計数繰出部９３ｈの繰出ソレノイド３０２ｈを駆動して、識別計数繰出部９３ｈのゲートを開く。
【０１２９】
すると、精査ホッパ８３ｈは、その内部の硬貨を一枚ずつ、識別計数繰出部９３ｈで識別および計数しつつ識別計数繰出部９３ｈから第２の時間間隔で繰出側搬送路１１１に繰り出し、繰出側搬送路１１１および出金側搬送路１１２により第２の搬送速度で搬送し、精査ゲート１２２で出金側搬送路１１２から戻入下搬送路１２１に移動させて、戻入下搬送路１２１、戻入縦搬送路１２３および戻入上搬送路１２５で第２の搬送速度で搬送して、戻入ゲート１２６ｆで出金ホッパ８１ｆに戻す。この間、硬貨は、隣り合うもの同士が高速モードでの間隔よりも広い間隔で搬送されることになる。
【０１３０】
ここでも、識別計数センサ３０３ｈで、精査対象である出金ホッパ８１ｆに収納すべき金種ではない異金種硬貨を検知すると、制御部１４１は、この異金種硬貨を計数センサ３１５で検知したタイミングに基づき、第２の搬送速度に合わせたタイミングで、戻入ゲート１２６ａ〜１２６ｅのうち、この異金種硬貨に対応するものを出金ホッパ８１ａ〜８１ｅ側に揺動させて、出金ホッパ８１ａ〜８１ｅのうちの適正な金種のものに収納する。その後、制御部１４１は、第２の搬送速度に合わせたタイミングで、戻入ソレノイド３２１ａ〜３２１ｅのうちの、この異金種硬貨に対応するものの駆動を停止させて、再び、硬貨を戻入ゲート１２６ｆで精査対象である出金ホッパ８１ｆに戻して収納する状態とする。
【０１３１】
上記の繰り出しおよび搬送を行うことで、最終的に、精査ホッパ８３ｈに貯留されていた硬貨がすべて繰り出されて、出金ホッパ８１ａ〜８１ｆに移動したことを、残留検知センサ３０４ｈ、識別計数センサ３０３ｈ、残留検知センサ３１２、計数センサ３１５および残留検知センサ３２２で検知すると、制御部１４１は、復路処理を終了して、識別計数センサ３０３ｈの識別および計数結果から、出金ホッパ８１ｆ内の硬貨量を確定する。その後、残りの出金ホッパ８１ａ〜８１ｅについて、出金ホッパ８１ｅ，８１ｄ，８１ｃ，８１ｂ，８１ａの順に、同様に精査処理を行って硬貨量を確定する。
【０１３２】
なお、出金ホッパ８１ａ〜８１ｅのいずれかの精査処理中に、識別計数センサ３０３ｈで、精査対象である出金ホッパに収納すべき金種ではない異金種硬貨を検知すると、制御部１４１は、戻入上搬送路１２５の硬貨搬送方向において、異金種硬貨が精査対象よりも上流側の出金ホッパに収納すべきものである場合、上記と同様に、第２の搬送速度に合わせたタイミングで、戻入ゲート１２６ａ〜１２６ｄのうちの、この異金種硬貨に対応するものを出金ホッパ８１ａ〜８１ｄ側に揺動させて、この異金種硬貨を出金ホッパ８１ａ〜８１ｄのうちの適正な金種のものに収納する。その後、制御部１４１は、第２の搬送速度に合わせたタイミングで、戻入ゲート１２６ａ〜１２６ｄのうちの、異金種硬貨に対応するものを出金ホッパ８１ａ〜８１ｄとは反対側に揺動させて、再び、硬貨を戻入ゲート１２６ｂ〜１２６ｅのうちの精査対象のもので出金ホッパ８１ｂ〜８１ｅの精査対象のものに収納する状態とする。
【０１３３】
また、制御部１４１は、戻入上搬送路１２５の硬貨搬送方向において、異金種硬貨が精査対象よりも下流側に出金ホッパを有する場合、第２の搬送速度に合わせたタイミングで、戻入ゲート１２６ａ〜１２６ｅのうちの精査対象の金種のものを出金ホッパ８１ａ〜８１ｅとは反対側に揺動させるとともに、第２の搬送速度に合わせたタイミングで、戻入ゲート１２６ｂ〜１２６ｆのうちの、この異金種硬貨に対応するものを出金ホッパ８１ｂ〜８１ｆ側に揺動させて、この異金種硬貨を出金ホッパ８１ｂ〜８１ｆのうちの適正な金種のものに収納する。その後、制御部１４１は、第２の搬送速度に合わせたタイミングで、戻入ゲート１２６ａ〜１２６ｅのうちの精査対象のものを出金ホッパ８１ａ〜８１ｅ側に揺動させるとともに、第２の搬送速度に合わせたタイミングで、戻入ゲート１２６ｂ〜１２６ｆのうちの、異金種硬貨に対応するものを出金ホッパ８１ｂ〜８１ｆとは反対側に揺動させて、再び、硬貨を戻入ゲート１２６ａ〜１２６ｅのうちの精査対象のもので出金ホッパ８１ａ〜８１ｅの精査対象のものに収納する状態とする。異金種硬貨が、すでに硬貨量が確定した出金ホッパ８１ａ〜８１ｆのいずれかに収納される場合、制御部１４１は、すでに確定した硬貨量にこの異金種硬貨の枚数分を加算する。
【０１３４】
以上により、低速モードでは、計数繰出部９１ａ〜９１ｆおよび識別計数繰出部９３ｈのそれぞれによる硬貨の繰り出しの時間間隔が、高速モードでの第１の時間間隔よりも長い第２の時間間隔となり、繰出側搬送路１１１、出金側搬送路１１２、戻入下搬送路１２１、戻入縦搬送路１２３および戻入上搬送路１２５による硬貨の搬送速度が、高速モードでの第１の搬送速度よりも遅い第２の搬送速度となって、硬貨は、隣り合うもの同士が高速モードでの第１の搬送間隔よりも広い第２の搬送間隔で搬送されることになる。このため、低速モードでは、精査処理の処理速度が、高速モードでの精査処理の処理速度よりも遅くなり（例えば５０％）、同じ硬貨群を精査処理する時間が長くなる。言い換えれば、高速モードでは、精査処理の処理速度が、低速モードでの精査処理の処理速度よりも速くなり、同じ硬貨群を精査処理する時間が短くなる。
【０１３５】
低速モードでは、計数繰出部９１ａ〜９１ｆおよび識別計数繰出部９３ｈによる硬貨の繰り出しが、高速モードの時よりも広い間隔で繰り出されることになるため、計数繰出部９１ａ〜９１ｆおよび識別計数繰出部９３ｈにおける繰り出し不良の発生が抑制される。また、低速モードでは、繰出側搬送路１１１、出金側搬送路１１２、戻入下搬送路１２１、戻入縦搬送路１２３および戻入上搬送路１２５による硬貨の搬送が、硬貨の隣り合うもの同士の間隔を高速モードの時よりも広い間隔で搬送することになるため、繰出側搬送路１１１、出金側搬送路１１２、戻入下搬送路１２１、戻入縦搬送路１２３および戻入上搬送路１２５において搬送ジャム、硬貨ブリッジ等の搬送不良の発生が抑制される。
【０１３６】
以上のように、精査ホッパ８３ｈは、出金ホッパ８１ａ〜８１ｆのうちの一の精査対象の出金ホッパから繰り出された硬貨を貯留する。識別計数繰出部９３ｈは、精査ホッパ８３ｈから繰り出される硬貨を識別および計数する。精査処理は、出金ホッパ８１ａ〜８１ｆのうちの一の精査対象の出金ホッパから全ての硬貨を繰り出して精査ホッパ８３ｈに貯留させる往路処理の後、精査ホッパ８３ｈから硬貨を繰り出して当該一の精査対象の出金ホッパに戻す復路処理を行うとともに、精査ホッパ８３ｈから当該一の精査対象の出金ホッパへの硬貨の移動時すなわち復路処理時に、識別計数繰出部９３ｈで硬貨を識別および計数して、当該一の精査対象の出金ホッパの在り高を確定する処理である。金種別に複数設けられた出金ホッパ８１ａ〜８１ｆのそれぞれについて、精査処理を行うことが可能となっている。そして、硬貨処理装置１０は、精査処理の処理速度が、複数段階、具体的には低速と高速との二段階に切り替え可能であり、予め設定された時刻情報に基づいて切り替えられ、操作部１４５への手動操作によっても切り替えられるようになっている。
【０１３７】
制御部１４１は、出金ホッパ８１ａ〜８１ｆの精査処理時点までの硬貨の入出金のデータに基づく在り高と、精査処理での計数値とが一致しない精査不一致が発生した場合は、自動で不一致金種のみ、または、全金種の精査リトライを実施するようになっている。すなわち、硬貨処理装置１０は、自動での精査リトライを行うようになっている。
【０１３８】
なお、汚損カセット８２ｇを出金ホッパ８１ａ〜８１ｆと同様に、収納している汚損硬貨を計数して繰出側搬送路１１１に繰り出し可能な汚損ホッパ（図示略）として構成することで、汚損ホッパ内の硬貨量の自動精査が可能になる。この場合、精査処理時には、出金ホッパ８１ａ〜８１ｆの硬貨量の精査と同様に、汚損ホッパに収納されている汚損硬貨を精査ホッパ８３ｈに移動させて、精査ホッパ８３ｈから汚損硬貨を識別計数繰出部９３ｈで識別しつつ計数して汚損ホッパに戻すことで、汚損ホッパ内の硬貨量を確定する。これにより、汚損カセット８２ｇの硬貨量の精査のために、出金繰出引出部８５を引き出して汚損カセット８２ｇの硬貨を硬貨入金部２１に戻し入れる処理が不要になるため、ユーザの処理負担が低減する。また、出金ホッパ８１ａ内の硬貨へのアクセスを制限できるため、セキュリティが向上する。
【０１３９】
以上に述べた硬貨処理装置１０によれば、出金ホッパ８１ａ〜８１ｆのうちの一の精査対象の出金ホッパの硬貨を搬送しつつ識別計数繰出部９３ｈで識別および計数して精査対象の出金ホッパの在り高を確定する精査処理の処理速度が切り替え可能である。
【０１４０】
具体的には、出金ホッパ８１ａ〜８１ｆのうちの一の精査対象の出金ホッパから全ての硬貨を繰り出して精査ホッパ８３ｈに貯留させる往路処理の後、精査ホッパ８３ｈから硬貨を繰り出して当該一の精査対象の出金ホッパに戻す復路処理を行うとともに、精査ホッパ８３ｈから当該一の精査対象の出金ホッパへの硬貨の移動時すなわち復路処理時に、識別計数繰出部９３ｈで硬貨を識別および計数して、当該一の精査対象の出金ホッパの在り高を確定する精査処理を行うことになるが、この精査処理の処理速度が切り替え可能である。このため、精査処理実行の適正化を図ることが可能となる。
【０１４１】
また、精査処理の処理速度が、予め設定された時刻情報に基づいて切り替えられるため、設定されたタイミングで自動的に精査処理の処理速度を切り替えることができる。
【０１４２】
具体的には、硬貨処理装置１０を取り扱い可能な担当者の数が多い日中（例えば９時００分〜１８時００分）は高速モードで精査処理を行うように自動設定され、担当者の数が減る夜間（例えば１８時００分〜９時００分）は低速モードで精査処理を行うように自動設定されている。例えば、銀行店舗内で、硬貨処理装置１０を取り扱い可能な担当者の数が多く、バラ硬貨の入金や出金が多い日中の硬貨処理装置１０の稼働開始から締め処理が行われるまでの時間帯（業務時間内、例えば９時００分〜１８時００分）に使用される際は、硬貨処理装置１０が稼働状態にあるため、主体となる処理（例えば、入金処理や出金処理）を優先する必要がある。このため、硬貨処理装置１０内の在り高を再確認する自己精査処理は、極力短時間の内に終了させるのが好ましい。よって、硬貨処理装置１０の仕様上で最大の処理速度となるように、自己精査処理が行われる。これにより、精査処理に係る動作時間を最短にして銀行業務の向上を図る。
【０１４３】
他方、低速モードは、業務時間外となって取り扱い可能な担当者の数が少ない夜間や無人環境で使用されることを想定したもので、自己精査処理の時間短縮よりも、硬貨搬送ジャムエラーなどを低減ないしは発生しにくいようにすることを主眼にした動作モードである。しかも、動作音の抑制・信頼性の向上・静音化にも貢献する。特に、夜間（業務時間外）や無人環境下などでは、主体となる処理（例えば、入金処理や出金処理）で硬貨処理装置１０が使われることが少なく、また、取り扱い可能な担当者の数が少なく、場合によっては無人環境となる。このような状況では、自己精査処理を行い搬送ジャムなどのエラーが発生した場合に、人手を伴うエラー復旧を行いにくく、あるいはできない可能性がある。このようなエラー発生のリスクを回避するために、上記のように精査処理に関わる全搬送路の速度を、高速モードと比べて一律低速（例えば５０％程度落とす）として、全搬送路内の硬貨の挙動を抑え、ジャムなどのエラー低減を図って自己精査処理を行うことが有効となる。この場合、動作音の抑制・信頼性の向上・静音化にも貢献する。
【０１４４】
低速モードおよび高速モードが切り替わる設定切替時刻情報は、別途の設定モードにおいて、切り替え回数および各回の切り替え時刻が任意に設定可能となっているが、この設定操作を、操作者が権限のある者のみに限定させて行っても良い。方法としてはカード認証などにより、操作者が権限の有無を硬貨処理装置１０側に認識させる。
【０１４５】
また、精査処理の処理速度が、手動操作によっても切り替えられるため、任意のタイミングで精査処理の処理速度を切り替えることができる。よって、例えば、日中は通常、高速モードで精査処理を行い、低速モードでの精査処理は予定せず、臨時的に、異常等の発生によって、通常業務を止めてでも精査を行った方が良いと操作員・管理者等が判断したときに、低速モードでの精査処理が選択・指示できて、低速モードでの精査処理が可能になる。
【０１４６】
精査処理の処理速度の手動による切り替え操作は、操作者が権限のある者のみに限定させて行っても良い。方法としてはカード認証などにより、操作者が権限の有無を硬貨処理装置１０側に認識させる。
【０１４７】
上記実施形態では、精査処理において、低速モードおよび高速モードの自動切り替えを行うようになっており、その上で、手動切り替えも可能としたが、自動切り替えおよび手動切り替えのうち自動切り替えのみを行うようにしても良く、手動切り替えのみを可能としても良い。
【０１４８】
上記実施形態では、精査処理において、往路処理と復路処理とのうちの復路処理時に、識別計数繰出部９３ｈで硬貨を識別および計数して、精査対象の出金ホッパの在り高を確定するようにした。しかしながら、例えば、戻入縦搬送路１２３の末端位置に、硬貨を計数する計数センサ３１５にかえて、硬貨の金種識別および計数を行う識別計数センサ（貨幣識別部）を設けて、往路処理と復路処理とのうち、出金ホッパ８１ａ〜８１ｆのうちの一の精査対象の出金ホッパから全ての硬貨を繰り出して精査ホッパ８３ｈに貯留させる往路処理時に、戻入縦搬送路１２３の末端位置の識別計数センサで硬貨を識別および計数して、当該一の精査対象の出金ホッパの在り高を確定するようにしても良い。この場合、往路処理中、戻入縦搬送路１２３の末端位置の識別計数センサで異金種硬貨を検知すると、上記実施形態と同様に、異金種硬貨を出金ホッパ８１ａ〜８１ｆのうちの適正なものに収納させる。また、この場合、復路処理での精査ホッパ８３ｈからの硬貨の繰り出し時に識別計数センサ３０３ｈで硬貨の金種および枚数を再確認することができる。なお、戻入縦搬送路１２３の末端位置の計数センサ３１５を識別計数センサにかえるのではなく、計数センサ３０３ａ〜３０３ｆをすべて識別計数センサ（貨幣識別部）にかえても、往路処理時に精査対象の出金ホッパの在り高を確定することができる。
【０１４９】
また、金種よりも一つ多い出金ホッパを設けて、精査処理において、一の金種の出金ホッパから空の他の出金ホッパに硬貨を移動させながら、硬貨を識別および計数して、前記他の出金ホッパの在り高を確定し、その後、この他の出金ホッパを、前記一の金種の出金ホッパとして使用する場合についても、上記した低速モードおよび高速モードの切り替えを適用可能である。すなわち、精査対象の出金ホッパから硬貨を繰り出し始めてから当該出金ホッパを空にして当該出金ホッパに硬貨を戻すまでの間、または、空の状態の精査対象の出金ホッパに硬貨を収納する際に、硬貨を識別および計数して、精査対象の出金ホッパの在り高を確定する場合について、上記した低速モードおよび高速モードの切り替えを適用可能である。
【０１５０】
上記実施形態では、精査処理の往路処理での硬貨の貯留先として精査ホッパ８３ｈを設けたが、精査ホッパ８３ｈをなくしても良い。例えば、往路処理時に、戻入縦搬送路１２３および戻入上搬送路１２５を停止させて、出金ホッパ８１ａ〜８１ｆのうちの一の精査対象の出金ホッパから全ての硬貨を繰り出して戻入下搬送路１２１に貯留させ、その後、復路処理として、戻入下搬送路１２１に貯留された硬貨を戻入縦搬送路１２３および戻入上搬送路１２５で出金ホッパ８１ａ〜８１ｆのうちの一の精査対象の出金ホッパに戻すようにすることが可能である。この場合、往路処理と復路処理とのうちの往路処理時に、硬貨を識別および計数して精査対象の出金ホッパの在り高を確定するためには、例えば、出金ホッパ８１ａ〜８１ｆの計数センサ３０３ａ〜３０３ｆにかえて、硬貨の識別および計数が可能な識別計数センサ（貨幣識別部）を設けることになる。また、往路処理と復路処理とのうちの復路処理時に、硬貨を識別および計数して精査対象の出金ホッパの在り高を確定するためには、例えば、戻入縦搬送路１２３の末端位置に、硬貨を計数する計数センサ３１５にかえて、硬貨の金種識別および計数を行う識別計数センサ（貨幣識別部）を設けることになる。この場合、異金種硬貨の適正収納を可能とするためには、復路処理時に、硬貨を識別および計数して精査対象の出金ホッパの在り高を確定するのが好ましい。
【０１５１】
上記実施形態では、貨幣処理装置として、貨幣である硬貨を処理する硬貨処理装置を例にとり説明したが、本発明は、貨幣である紙幣を処理する紙幣処理装置にも適用することが可能である。紙幣処理装置に適用する場合、精査処理時の低速モードでは、高速モードに比して搬送紙幣の搬送間隔をあけたり、繰り出し機構の間欠送り処理を行ったりすることになる。精査処理時の低速モードで、精査処理に関わる全搬送路の搬送速度を一律遅くする（例えば５０％に落とす）ことになり、この場合、搬送速度を落とすことにより、異金種検知でのサンプリング回数を増やすことができるため、紙幣媒体の金種判別が、高速モードでの搬送速度のときよりも、より確度を高めて行うことができる。すなわち、高速モードよりも、突発的に生じるノイズを除去、または無視する回数を増やしながら、金種判別する磁気データを得ることが可能となる。
【符号の説明】
【０１５２】
１０  硬貨処理装置（貨幣処理装置）
８１ａ〜８１ｆ  出金ホッパ（貨幣収納部）
３０３ｈ  識別計数センサ（貨幣識別部）
【図１】
2019021135.tif 000003
【図２】
2019021135.tif 000004
【図３】
2019021135.tif 000005
【図４】
2019021135.tif 000006
【図５】
2019021135.tif 000007
【図６】
2019021135.tif 000008
【図７】
2019021135.tif 000009